(57)【要約】【課題】本発明は、周波数選択方法、ランダムアクセス方法および装置を提供する。【解決手段】当該方法では、ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定することと、端末が前記第１バンドセットによって前記ネットワーク側機器がサポートする第１動作バンドに含まれる前記少なくとも一つのアップリンク周波数範囲と前記少なくとも一つのダウンリンク周波数範囲を特定するように、第１バンドセットを同報通信することと、を含む。【選択図】図１
2020517143.tif 000002
【特許請求の範囲】
【請求項１】
ネットワーク側機器に適用され、
ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定することと、
端末が前記第１バンドセットによって前記ネットワーク側機器がサポートする前記第１動作バンドに含まれる少なくとも一つのアップリンク周波数範囲と前記少なくとも一つのダウンリンク周波数範囲を特定するように、前記第１バンドセットを同報通信することと、を含む
ことを特徴とする周波数選択方法。
【請求項２】
前記第１バンドセットは、第１バンド識別子と第２バンド識別子を含み、
前記第１バンド識別子は、前記ネットワーク側機器によってサポートされるアップリンク周波数範囲を指示し、
前記第２バンド識別子は、前記ネットワーク側機器によってサポートされるダウンリンク周波数範囲を指示する
ことを特徴とする請求項１に記載の周波数選択方法。
【請求項３】
前記の第１バンドセットを同報通信することは、
前記第１バンドセットにおいて目的ダウンリンク周波数範囲を特定することと、
前記目的ダウンリンク周波数範囲において前記第１バンドセットを同報通信することと、を含む
ことを特徴とする請求項１に記載の周波数選択方法。
【請求項４】
前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、
前記目的ダウンリンク周波数範囲は、前記ネットワーク管理システムまたは前記ネットワーク側機器が第１バンドセットにおける各ダウンリンク周波数範囲でのキャリアの負荷状態によって配置するものである
ことを特徴とする請求項３に記載の周波数選択方法。
【請求項５】
前記周波数選択方法では、前記の第１バンドセットを同報通信することの後ろに、さらに、
前記端末が前記第１アップリンク周波数範囲または第１アップリンクキャリアにおいて送信したランダムアクセスリクエストメッセージを受信することを含み、
前記第１アップリンク周波数範囲または前記第１アップリンクキャリアは、前記ネットワーク側機器または前記端末によって特定されたものである
ことを特徴とする請求項１に記載の周波数選択方法。
【請求項６】
前記第１アップリンク周波数範囲または第１アップリンクキャリアが前記ネットワーク側機器によって特定された場合に、
前記ネットワーク側機器によってサポートされる少なくとも一つのアップリンク周波数範囲から第１アップリンク周波数範囲または前記第１アップリンクキャリアを特定し、
アップリンクバンド指示メッセージを同報通信し、そのうち、前記アップリンクバンド指示メッセージは、前記端末が前記アップリンクバンド指示メッセージによって前記第１アップリンク周波数範囲または前記第１アップリンクキャリアを特定するように、前記第１アップリンク周波数範囲を指示する、または、前記第１アップリンクキャリアの中心周波数および帯域幅を指示するために用いられる
ことを特徴とする請求項５に記載の周波数選択方法。
【請求項７】
前記周波数選択方法では、さらに、
端末によって発送された、前記端末によってサポートされ且つ少なくとも一つのアップリンク周波数範囲と少なくとも一つのダウンリンク周波数範囲を有する少なくとも一つの第２動作バンドを含む第２バンドセットを含む端末バンド指示情報を取得することと、
前記第1バンドセットと前記第２バンドセットによって、前記ネットワーク側機器と前記端末の両方によりサポートされるアップリンク周波数範囲を特定することと、
前記ネットワーク側機器と前記端末の両方によりサポートされるアップリンク周波数範囲において第２アップリンク周波数範囲または第２アップリンクキャリアを特定することと、を含む
ことを特徴とする請求項６に記載の周波数選択方法。
【請求項８】
前記の端末バンド指示情報を取得することは、
前記端末が前記第１アップリンク周波数範囲または前記第１アップリンクキャリアにおいて送信した端末バンド指示情報を受信すること、または、
ネットワーク管理デバイスから前記端末バンド指示情報を取得することを含む
ことを特徴とする請求項７に記載の周波数選択方法である。
【請求項９】
前記の前記ネットワーク側機器と前記端末の両方によりサポートされるアップリンク周波数範囲において第２アップリンク周波数範囲または第２アップリンクキャリアを特定することは、
前記端末によってサッポートされるアップリンク周波数範囲に対応する、前記端末が自体にサッポートされるアップリンク周波数範囲での最大送信電力を表す電力レベルを受信することと、
前記端末が前記目的ダウンリンク周波数範囲においてダウンリンク参照信号またはダウンリンク同期信号を受信する第１受信電力を取得することと、
前記電力レベルによって、前記ネットワーク側機器と前記端末の両方によりサポートされるアップリンク周波数範囲に対応するアップリンクカバレッジ受信スレッショルド電力を取得することと、
前記第１受信電力と前記アップリンクカバレッジ受信スレッショルド電力によって、前記第２アップリンク周波数範囲または第２アップリンクキャリアを特定することと、を含み、
そのうち、前記アップリンクカバレッジ受信スレッショルド電力は、前記ネットワーク側機器と前記端末の両方によりサポートされるアップリンク周波数範囲に対応するアップリンクカバレッジ範囲を表す
ことを特徴とする請求項７に記載の周波数選択方法。
【請求項１０】
前記の前記端末が前記目的ダウンリンク周波数範囲においてダウンリンク参照信号またはダウンリンク同期信号を受信する第１受信電力を取得することは、
前記ランダムアクセスリクエストから前記第１受信電力を取得すること、または、
前記端末によって報告された前記第１受信電力を受信することを含む
ことを特徴とする請求項９に記載の周波数選択方法。
【請求項１１】
前記の前記第１受信電力と前記アップリンクカバレッジ受信電力閾値によって前記第２アップリンク周波数範囲または第２アップリンクキャリアを特定することは、
前記第１受信電力が前記アップリンクカバレッジ受信スレッショルド電力のうちの第１アップリンクカバレッジ受信スレッショルド電力よりも大きいと、前記第１アップリンクカバレッジ受信電力閾値に対応するアップリンク周波数範囲が前記第２アップリンク周波数範囲または第２アップリンクキャリアであることをを特定することを含む
ことを特徴とする請求項９に記載の周波数選択方法。
【請求項１２】
前記の前記第１アップリンクカバレッジ受信電力閾値に対応するアップリンク周波数範囲が前記第２アップリンク周波数範囲であることをを特定することは、
前記第１アップリンクカバレッジ受信スレッショルド電力が複数個である場合に、スレッショルド電力が最高である第１アップリンクカバレッジ受信スレッショルド電力に対応するアップリンク周波数範囲が前記第２アップリンク周波数範囲であることを特定することを含む
ことを特徴とする請求項１１に記載の周波数選択方法。
【請求項１３】
前記周波数選択方法では、前記第２アップリンク周波数範囲または第２アップリンクキャリアを特定した後に、さらに、
前記第２アップリンク周波数範囲または第２アップリンクキャリアの受信品質によって、前記端末のために第３アップリンク周波数範囲または第３アップリンクキャリアを選択するか否かを決定することと、
前記端末のために第３アップリンク周波数範囲または第３アップリンクキャリアを選択することを決定した場合に、前記ネットワーク側機器と前記端末の両方によりサポートされるアップリンク周波数範囲における前記第２アップリンク周波数範囲以外のその他のアップリンク周波数範囲である候補アップリンク周波数範囲を特定することと、
前記アップリンクカバレッジ受信スレッショルド電力と前記第１受信電力によって、前記候補アップリンク周波数範囲において前記第３アップリンク周波数範囲または第３アップリンクキャリアを特定することと、を含む
ことを特徴とする請求項９に記載の周波数選択方法。
【請求項１４】
前記の前記端末のために第３アップリンク周波数範囲または第３アップリンクキャリアを選択するか否かを決定することは、
前記端末が前記第２アップリンク周波数範囲または第２アップリンクキャリアにおいてデータを伝送するビット誤り率またはブロック誤り率が第１プリセット閾値の以上である場合に、前記端末のために第３アップリンク周波数範囲または第３アップリンクキャリアを選択することを決定することを含む
ことを特徴とする請求項１３に記載の周波数選択方法。
【請求項１５】
前記の前記端末のために第３アップリンク周波数範囲または第３アップリンクキャリアを選択するか否かを決定することは、
前記端末が前記第２アップリンク周波数範囲または第２アップリンクキャリアにおいて送信したアップリンク参照信号の第２受信電力が第２プリセット閾値の以下である場合に、前記端末のために第３アップリンク周波数範囲または第３アップリンクキャリアを選択することを決定することを含む
ことを特徴とする請求項１３に記載の周波数選択方法。
【請求項１６】
前記の前記端末のために第３アップリンク周波数範囲または第３アップリンクキャリアを選択するか否かを決定することは、
前記第１受信電力が前記第２アップリンク周波数範囲または前記第２アップリンクキャリアが選択した対応するアップリンクカバレッジ受信スレッショルド電力よりも小さい場合に、前記端末のために第３アップリンク周波数範囲または第３アップリンクキャリアを選択することを決定することを含む
ことを特徴とする請求項１３に記載の周波数選択方法。
【請求項１７】
前記の前記アップリンクカバレッジ受信スレッショルド電力と前記第１受信電力によって、前記候補アップリンク周波数範囲において前記第３アップリンク周波数範囲または第３アップリンクキャリアを特定することは、
前記アップリンクカバレッジ受信スレッショルド電力において前記候補アップリンク周波数範囲に対応する候補アップリンクカバレッジ受信スレッショルド電力を特定することと、
前記第１受信電力が前記候補アップリンクカバレッジ受信スレッショルド電力における第２アップリンクカバレッジ受信スレッショルド電力の以上である場合に、前記第２候補アップリンクカバレッジ受信スレッショルド電力に対応する候補アップリンク周波数範囲が前記第３アップリンク周波数範囲または第３アップリンクキャリアであることを特定することを含む
ことを特徴とする請求項１３に記載の周波数選択方法。
【請求項１８】
前記第２アップリンクカバレッジ受信電力閾値が複数個である場合に、最高である第２アップリンクカバレッジ受信スレッショルド電力に対応するアップリンク周波数範囲が前記第３アップリンク周波数範囲または第３アップリンクキャリアであることを特定する
ことを特徴とする請求項１７に記載の周波数選択方法。
【請求項１９】
前記の前記電力レベルによって前記ネットワーク側機器と前記端末の両方によりサポートされるアップリンク周波数範囲に対応するアップリンクカバレッジ受信スレッショルド電力を取得することは、
前記ネットワーク側機器が前記目的ダウンリンクバンドにおいて前記ダウンリンク参照信号を送信する第１送信電力、および前記端末が各々の前記ネットワーク側機器と前記端末の両方によりサポートされるアップリンク周波数範囲においてアップリンクデータを送信する時の、前記ネットワーク側機器に対応する最低受信電力を取得することと、
前記端末と前記ネットワーク側機器が各々の前記ネットワーク側機器と前記端末の両方によりサポートされるアップリンク周波数範囲においてのアップリンク経路損失値と、前記端末と前記ネットワーク側機器が前記目的ダウンリンク周波数範囲においてのダウンリンク経路損失値との間の損失差分値を取得することと、
そのうち、前記アップリンク経路損失値と前記ダウンリンク経路損失値は、前記端末が同じ地理的位置で得られた経路損失値であり、
前記第１受信電力、前記最低受信電力、前記損失差分値、及び前記電力レベルに基づいて、以下の公式で各々のネットワーク側機器と端末の両方によりサポートされるアップリンク周波数範囲に対応するアップリンクカバレッジ受信スレッショルド電力を得ることと、を含み、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は前記第１送信電力であり、ＰＬｄｅｌｔａは、前記端末と前記ネットワーク側機器が第i個のアップリンク周波数範囲においてのアップリンク経路損失値と、前記端末と前記ネットワーク側機器が前記目的ダウンリンクバンドにおいてのダウンリンク経路損失値との間の損失差分値であり、ＰＲＸ_ｉは、前記ネットワーク側機器と前記端末の両方によりサポートされる第i個のアップリンク周波数範囲においてアップリンクデータを送信する時の、前記ネットワーク側機器に対応する最低受信電力であり、ＰＵＬ_ｉは、前記第i個のアップリンク周波数範囲の電力レベルに対応する最大送信電力である
ことを特徴とする請求項９〜１８のいずれか１項に記載の周波数選択方法。
【請求項２０】
端末に適用され、
ネットワーク側機器によって同報通信される、前記ネットワーク側機器によってサポートされ且つ少なくとも一つのアップリンク周波数範囲と少なくとも一つのダウンリンク周波数範囲を有する少なくとも一つの第１動作バンドを含む第１バンドセットを受信することと、
前記第１バンドセットと、前記端末によってサポートされ且つ少なくとも一つのアップリンク周波数範囲と少なくとも一つのダウンリンク周波数範囲を有する少なくとも一つの第２動作バンドを含む第２バンドセットとによって、前記ネットワーク側機器にアクセスできるか否かを決定することと、を含む
ことを特徴とするランダムアクセス方法。
【請求項２１】
前記の前記ネットワーク側機器によって同報通信されるアップリンクバンド指示メッセージを受信することは、前記ネットワーク側機器が目的ダウンリンク周波数範囲において同報通信した第１バンド指示メッセージを受信することを含む
ことを特徴とする請求項２０に記載のランダムアクセス方法。
【請求項２２】
前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、
前記目的ダウンリンク周波数範囲は、前記ネットワーク管理システムまたは前記ネットワーク側機器が第１バンドセットにおける各ダウンリンク周波数範囲でのキャリアの負荷状態によって配置するものである
ことを特徴とする請求項２０に記載のランダムアクセス方法。
【請求項２３】
前記の前記第１バンドセットと第２バンドセットによって前記ネットワーク側機器にアクセスできるか否かを決定することは、
前記ネットワーク側機器によってサポートされる第１動作バンドと前記端末によってサポートされる第２動作バンドとの間には同一の動作バンドがあるか否かを決定し、
同一の動作バンドがあることを決定した場合に、前記ネットワーク側機器にアクセスできることを決定し、
同一の動作バンドが無いことを決定した場合に、前記ネットワーク側機器にアクセスできないことを決定することを含む
ことを特徴とする請求項２０に記載のランダムアクセス方法。
【請求項２４】
前記の前記ネットワーク側機器によってサポートされる第１動作バンドと前記端末によってサポートされる第２動作バンドとの間には同一の動作バンドがあるか否かを決定することは、
前記ネットワーク側機器によってサポートされる第１動作バンドと前記端末によってサポートされる第２動作バンドとの間には同じアップリンク周波数範囲と同じダウンリンク周波数範囲がある場合に、同一の動作バンドがあることを決定する、ことを含む
ことを特徴とする請求項２３に記載のランダムアクセス方法。
【請求項２５】
前記ランダムアクセス方法では、前記ネットワーク側機器にアクセスすることを決定した時に、さらに、
前記ネットワーク側機器または前記端末によって特定された第１アップリンク周波数範囲または第１アップリンクキャリアを特定することと、
前記第１アップリンク周波数範囲または前記第１アップリンクキャリアにおいて前記ネットワーク側機器にランダムアクセスリクエストを送信することと、を含む
ことを特徴とする請求項２０に記載のランダムアクセス方法。
【請求項２６】
前記第１アップリンク周波数範囲または前記第１アップリンクキャリアが前記ネットワーク側機器によって特定された場合に、前記の第１アップリンク周波数範囲または第１アップリンクキャリアを特定することは、
前記ネットワーク側機器によって同報通信される、前記第１アップリンク周波数範囲または第１アップリンクキャリアを指示するアップリンクバンド指示メッセージを受信することと、
前記アップリンクバンド指示メッセージによって前記第１アップリンク周波数範囲または前記第１アップリンクキャリアを特定することと、を含む
ことを特徴とする請求項２５に記載のランダムアクセス方法。
【請求項２７】
前記第１アップリンク周波数範囲または前記第１アップリンクキャリアが前記端末によって特定された場合に、前記の第１アップリンク周波数範囲または第１アップリンクキャリアを特定することは、
前記端末によってサッポートされる第２バンドセットを取得することと、
前記目的ダウンリンク周波数範囲においてダウンリンク参照信号またはダウンリンク同期信号を受信する第１受信電力を取得することと、
前記第２バンドセットと前記第１受信電力によって前記第１バンドセットから前記第１アップリンク周波数範囲または第１アップリンクキャリアを特定することと、を含む
ことを特徴とする請求項２５に記載のランダムアクセス方法。
【請求項２８】
前記ランダムアクセス方法では、第１アップリンク周波数範囲または第１アップリンクキャリアを特定した後に、さらに、
前記第１アップリンク周波数範囲または第１アップリンクキャリアにおいて前記ネットワーク側機器に、前記第２バンドセットを含む端末バンド指示情報と、前記端末が自体にサッポートされるアップリンク周波数範囲での最大送信電力を表す電力レベルとを送信することを含む
ことを特徴とする請求項２５に記載のランダムアクセス方法。
【請求項２９】
前記ランダムアクセス方法では、前記第１アップリンク周波数範囲において前記ネットワーク側機器に端末バンド指示情報を送信した後に、さらに、
ネットワーク側機器によって送信される前記第３アップリンク周波数範囲または前記第３アップリンクキャリアに対応するリソース配置情報を受信することと、
そのうち、前記リソース配置情報は、前記ネットワーク側機器によって特定される、アップリンクデータを送信するための第３アップリンク周波数範囲または第３アップリンクキャリアを含み、
前記リソース配置情報によって、前記第３アップリンク周波数範囲または第３アップリンクキャリアにおいて前記アップリンクデータを送信することと、を含む
ことを特徴とする請求項２８に記載のランダムアクセス方法。
【請求項３０】
ネットワーク側機器に適用され、
ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定するために用いられるバンドセット特定モジュールと、
端末が前記第１バンドセットによって前記ネットワーク側機器がサポートする第１動作バンドに含まれる前記少なくとも一つのアップリンク周波数範囲と少なくとも一つのダウンリンク周波数範囲を特定するように、前記第１バンドセットを同報通信するために用いられる同報通信モジュールと、を備える
ことを特徴とする周波数選択装置。
【請求項３１】
前記第１バンドセットは、前記ネットワーク側機器によってサポートされるアップリンク周波数範囲を指示する第１バンド識別子と、前記ネットワーク側機器によってサポートされるダウンリンク周波数範囲を指示する第２バンド識別子と、を含む
ことを特徴とする請求項３０に記載の周波数選択装置。
【請求項３２】
前記同報通信モジュールは、前記第１バンドセットにおいて目的ダウンリンク周波数範囲を特定し、且つ前記目的ダウンリンク周波数範囲において前記第１バンドセットを同報通信するために用いられる
ことを特徴とする請求項３０に記載の周波数選択装置。
【請求項３３】
前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、
前記目的ダウンリンク周波数範囲は、前記ネットワーク管理システムまたは前記ネットワーク側機器が第１バンドセットにおける各ダウンリンク周波数範囲でのキャリアの負荷状態によって配置するものである
ことを特徴とする請求項３２に記載の周波数選択装置。
【請求項３４】
前記周波数選択装置は、
前記端末が前記ネットワーク側機器または前記端末によって特定された第１アップリンク周波数範囲または第１アップリンクキャリアにおいて送信したランダムアクセスリクエストメッセージを受信するために用いられるアクセスリクエスト受信モジュールを、さらに備える
ことを特徴とする請求項３０に記載の周波数選択装置。
【請求項３５】
前記周波数選択装置は、
前記ネットワーク側機器によってサポートされる少なくとも一つのアップリンク周波数範囲から第１アップリンク周波数範囲または前記第１アップリンクキャリアを特定するために用いられる第１特定モジュールと、
前記端末がアップリンクバンド指示メッセージによって前記第１アップリンク周波数範囲または前記第１アップリンクキャリアを特定するように、前記第１アップリンク周波数範囲を指示する、または、前記第１アップリンクキャリアの中心周波数および帯域幅を指示するためのアップリンクバンド指示メッセージを同報通信するためにも用いられる前記同報通信モジュールと、をさらに備える
ことを特徴とする請求項３４に記載の周波数選択装置。
【請求項３６】
前記周波数選択装置は、
端末が送信した端末バンド指示情報を取得するために用いられる取得モジュールと、
前記第１バンドセットと第２バンドセットによって前記ネットワーク側機器と前記端末の両方によりサッポートされるアップリンク周波数範囲を特定するために用いられる第２特定モジュールと、
前記ネットワーク側機器と前記端末の両方によりサポートされるアップリンク周波数範囲において第２アップリンク周波数範囲または第２アップリンクキャリアを特定するために用いられる第３特定モジュールと、をさらに備え、
そのうち、前記端末バンド指示情報は、前記端末によってサッポートされる少なくとも一つの第２動作バンドを含む第２バンドセットを含み、前記第２動作バンドは、少なくとも一つのアップリンク周波数範囲と少なくとも一つのダウンリンク周波数範囲を含む
ことを特徴とする請求項３５に記載の周波数選択装置。
【請求項３７】
前記取得モジュールは、前記端末が前記第１アップリンク周波数範囲または前記第１アップリンクキャリアにおいて送信した端末バンド指示情報を受信する、または、ネットワーク管理デバイスから前記端末バンド指示情報を取得するために用いられる
ことを特徴とする請求項３６に記載の周波数選択装置。
【請求項３８】
前記取得モジュールは、さらに、前記端末によってサッポートされるアップリンク周波数範囲に対応する電力レベルを受信するために用いられ、そのうち、前記電力レベルは、前記端末が自体にサッポートされるアップリンク周波数範囲での最大送信電力を表し、
前記第３特定モジュールは、前記端末が前記目的ダウンリンク周波数範囲においてダウンリンク参照信号またはダウンリンク同期信号を受信する第１受信電力を取得し、前記電力レベルによって、前記ネットワーク側機器と前記端末の両方によりサポートされるアップリンク周波数範囲に対応するアップリンクカバレッジ受信スレッショルド電力を取得し、且つ、前記第１受信電力と前記アップリンクカバレッジ受信スレッショルド電力によって、前記第２アップリンク周波数範囲または第２アップリンクキャリアを特定するために用いられ、そのうち、前記アップリンクカバレッジ受信スレッショルド電力は、前記ネットワーク側機器と前記端末の両方によりサポートされるアップリンク周波数範囲に対応するアップリンクカバレッジ範囲を表す
ことを特徴とする請求項３６に記載の周波数選択装置。
【請求項３９】
前記第３特定モジュールは、前記ランダムアクセスリクエストから前記第１受信電力を取得する、または、前記端末によって報告された前記第１受信電力を受信するために用いられる
ことを特徴とする請求項３８に記載の周波数選択装置。
【請求項４０】
前記第３特定モジュールは、前記第１受信電力が前記アップリンクカバレッジ受信スレッショルド電力のうちの第１アップリンクカバレッジ受信スレッショルド電力よりも大きい場合に、前記第１アップリンクカバレッジ受信電力閾値に対応するアップリンク周波数範囲が前記第２アップリンク周波数範囲または第２アップリンクギャリアであることを特定するために用いられる
ことを特徴とする請求項３８に記載の周波数選択装置。
【請求項４１】
前記第３特定モジュールは、前記第１アップリンクカバレッジ受信スレッショルド電力が複数個である場合に、スレッショルド電力が最高である第１アップリンクカバレッジ受信スレッショルド電力に対応するアップリンク周波数範囲が前記第２アップリンク周波数範囲であることを特定するために用いられる
ことを特徴とする請求項４０に記載の周波数選択装置。
【請求項４２】
前記周波数選択装置は、
前記第２アップリンク周波数範囲または第２アップリンクキャリアの受信品質によって、前記端末のために第３アップリンク周波数範囲または第３アップリンクキャリアを選択するか否かを決定するために用いられる判定モジュールと、
前記端末のために第３アップリンク周波数範囲または第３アップリンクキャリアを選択することを決定した場合に、前記ネットワーク側機器と前記端末の両方によりサポートされるアップリンク周波数範囲における前記第２アップリンク周波数範囲以外のその他のアップリンク周波数範囲である候補アップリンク周波数範囲を特定するために用いられる第４特定モジュールと、
前記アップリンクカバレッジ受信スレッショルド電力と前記第１受信電力によって、前記候補アップリンク周波数範囲において前記第３アップリンク周波数範囲または第３アップリンクキャリアを特定するために用いられる第５特定モジュールと、をさらに備える
ことを特徴とする請求項４０に記載の周波数選択装置。
【請求項４３】
前記判定モジュールは、前記端末が前記第２アップリンク周波数範囲または第２アップリンクキャリアにおいてデータを伝送するビット誤り率またはブロック誤り率が第１プリセット閾値の以上である場合に、前記端末のために第３アップリンク周波数範囲または第３アップリンクキャリアを選択することを決定するために用いられる
ことを特徴とする請求項４２に記載の周波数選択装置。
【請求項４４】
前記判定モジュールは、前記端末が前記第２アップリンク周波数範囲または第２アップリンクキャリアにおいて送信したアップリンク参照信号の第２受信電力が第２プリセット閾値の以下である場合に、前記端末のために第３アップリンク周波数範囲または第３アップリンクキャリアを選択することを決定するために用いられる
ことを特徴とする請求項４２に記載の周波数選択装置。
【請求項４５】
前記判定モジュールは、前記第１受信電力が前記第２アップリンク周波数範囲または前記第２アップリンクキャリアが選択した対応するアップリンクカバレッジ受信スレッショルド電力よりも小さい場合に、前記端末のために第３アップリンク周波数範囲または第３アップリンクキャリアを選択することを決定するために用いられる
ことを特徴とする請求項４２に記載の周波数選択装置。
【請求項４６】
前記第５特定モジュールは、前記アップリンクカバレッジ受信スレッショルド電力において前記候補アップリンク周波数範囲に対応する候補アップリンクカバレッジ受信スレッショルド電力を特定し、前記第１受信電力が前記候補アップリンクカバレッジ受信スレッショルド電力における第２アップリンクカバレッジ受信スレッショルド電力の以上である場合に、前記第２候補アップリンクカバレッジ受信スレッショルド電力に対応する候補アップリンク周波数範囲が前記第３アップリンク周波数範囲または第３アップリンクキャリアであることを特定するために用いられる
ことを特徴とする請求項４２に記載の周波数選択装置。
【請求項４７】
前記第５特定モジュールは、前記第２アップリンクカバレッジ受信電力閾値が複数個である場合に、最高である第２アップリンクカバレッジ受信スレッショルド電力に対応するアップリンク周波数範囲が前記第３アップリンク周波数範囲または第３アップリンクキャリアであることを特定するために用いられる
ことを特徴とする請求項４６に記載の周波数選択装置。
【請求項４８】
前記第３特定モジュールは、以下のステップで前記ネットワーク側機器と前記端末の両方によりサポートされるアップリンク周波数範囲に対応するアップリンクカバレッジ受信スレッショルド電力を取得するために用いられ、
前記ネットワーク側機器が前記目的ダウンリンク周波数範囲において前記ダウンリンク参照信号を送信する第１送信電力、および前記端末が各々の前記ネットワーク側機器と前記端末の両方によりサポートされるアップリンク周波数範囲においてアップリンクデータを送信する時の、前記ネットワーク側機器に対応する最低受信電力を取得ステップ、
前記端末と前記ネットワーク側機器が各々の前記ネットワーク側機器と前記端末の両方によりサポートされるアップリンク周波数範囲においてのアップリンク経路損失値と、前記端末と前記ネットワーク側機器が前記目的ダウンリンク周波数範囲においてのダウンリンク経路損失値との間の損失差分値を取得するステップ、
そのうち、前記アップリンク経路損失値と前記ダウンリンク経路損失値は、前記端末が同じ地理的位置で得られた経路損失値であり、及び
前記第１受信電力、前記最低受信電力、前記損失差分値、及び前記電力レベルに基づいて、以下の公式で各々のネットワーク側機器と端末の両方によりサポートされるアップリンク周波数範囲に対応するアップリンクカバレッジ受信スレッショルド電力を得るステップであり、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は前記第１送信電力であり、ＰＬｄｅｌｔａは、前記端末と前記ネットワーク側機器が第i個のアップリンク周波数範囲においてのアップリンク経路損失値と、前記端末と前記ネットワーク側機器が前記目的ダウンリンクバンドにおいてのダウンリンク経路損失値との間の損失差分値であり、ＰＲＸ_ｉは、前記ネットワーク側機器と前記端末の両方によりサポートされる第i個のアップリンク周波数範囲においてアップリンクデータを送信する時の、前記ネットワーク側機器に対応する最低受信電力であり、ＰＵＬ_ｉは、前記第i個のアップリンク周波数範囲の電力レベルに対応する最大送信電力である
ことを特徴とする請求項３８〜４７のいずれか１項に記載の周波数選択装置。
【請求項４９】
端末に適用され、且つ、
ネットワーク側機器によって同報通信される、前記ネットワーク側機器によってサポートされ且つ少なくとも一つのアップリンク周波数範囲と少なくとも一つのダウンリンク周波数範囲を有する少なくとも一つの第１動作バンドを含む第１バンドセットを受信するために用いられる受信モジュールと、
前記第１バンドセットと、前記端末によってサポートされ且つ少なくとも一つのアップリンク周波数範囲と少なくとも一つのダウンリンク周波数範囲を有する少なくとも一つの第２動作バンドを含む第２バンドセットとによって、前記ネットワーク側機器にアクセスするか否かを決定するために用いられるアクセス判定モジュールと、を備える
ことを特徴とするランダムアクセス装置。
【請求項５０】
前記受信モジュールは、前記ネットワーク側機器が目的ダウンリンク周波数範囲において同報通信した第１バンド指示メッセージを受信するために用いられる
ことを特徴とする請求項４９に記載のランダムアクセス装置。
【請求項５１】
前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、
前記目的ダウンリンク周波数範囲は、前記ネットワーク管理システムまたは前記ネットワーク側機器が第１バンドセットにおける各ダウンリンク周波数範囲でのキャリアの負荷状態によって配置するものである
ことを特徴とする請求項４９に記載のランダムアクセス装置。
【請求項５２】
前記アクセス判定モジュールは、前記ネットワーク側機器によってサポートされる第１動作バンドと前記端末によってサポートされる第２動作バンドとの間には同一の動作バンドがあるか否かを決定するために用いられ、同一の動作バンドがあることを決定した場合に、前記ネットワーク側機器にアクセスできることを決定し、同一の動作バンドが無いことを決定した場合に、前記ネットワーク側機器にアクセスできないことを決定する
ことを特徴とする請求項４９に記載のランダムアクセス装置。
【請求項５３】
前記アクセス判定モジュールは、前記ネットワーク側機器によってサポートされる第１動作バンドと前記端末によってサポートされる第２動作バンドとの間には同じアップリンク周波数範囲と同じダウンリンク周波数範囲がある場合に、同一の動作バンドがあることを決定するために用いられる
ことを特徴とする請求項５２に記載のランダムアクセス装置。
【請求項５４】
前記ランダムアクセス装置は、
前記ネットワーク側機器または前記端末によって特定された第１アップリンク周波数範囲または第１アップリンクキャリアを特定するために用いられる第１処理モジュールと、
前記第１アップリンク周波数範囲または前記第１アップリンクキャリアにおいて前記ネットワーク側機器にランダムアクセスリクエストを送信するために用いられるアクセスリクエスト送信モジュールと、をさらに備える
ことを特徴とする請求項４９に記載のランダムアクセス装置。
【請求項５５】
前記該第１処理モジュールは、前記ネットワーク側機器によって同報通信される、前記第１アップリンク周波数範囲または第１アップリンクキャリアを指示するアップリンクバンド指示メッセージを受信し、且つ、前記アップリンクバンド指示メッセージによって前記第１アップリンク周波数範囲または前記第１アップリンクキャリアを特定するために用いられる
ことを特徴とする請求項５４に記載のランダムアクセス装置。
【請求項５６】
前記第１処理モジュールは、前記端末によってサッポートされる第２バンドセットを取得し、前記目的ダウンリンク周波数範囲においてダウンリンク参照信号またはダウンリンク同期信号を受信する第１受信電力を取得し、前記第２バンドセットと前記第１受信電力によって前記第１バンドセットから前記第１アップリンク周波数範囲または第１アップリンクキャリアを特定するために用いられる
ことを特徴とする請求項５４に記載のランダムアクセス装置。
【請求項５７】
前記ランダムアクセス装置は、
前記第１アップリンク周波数範囲または第１アップリンクキャリアにおいて前記ネットワーク側機器に端末バンド指示情報および電力レベルを送信するために用いられる指示情報送信モジュールと、をさらに備え、
そのうち、前記端末バンド指示情報は、前記第２バンドセットを含み、前記電力レベルは、前記端末が自体にサポートされるアップリンク周波数範囲での最大送信電力を表す
ことを特徴とする請求項５４に記載のランダムアクセス装置。
【請求項５８】
当該ランダムアクセス装置は、
ネットワーク側機器によって送信される前記第３アップリンク周波数範囲または前記第３アップリンクキャリアに対応するリソース配置情報を受信するために用いられる配置情報受信モジュールと、
前記リソース配置情報によって、前記第３アップリンク周波数範囲または第３アップリンクキャリアにおいて前記アップリンクデータを送信するために用いられるデータ送信モジュールとを、さらに備え、
そのうち、前記リソース配置情報は、前記ネットワーク側機器によって特定される、前記アップリンクデータを送信するための第３アップリンク周波数範囲または第３アップリンクキャリアを含む
ことを特徴とする請求項５７に記載のランダムアクセス装置。
【請求項５９】
請求項１〜１９のいずれか１項に記載の周波数選択方法を実行するための一つまたは複数のプログラムを含む
ことを特徴とする非一過性コンピュータ可読記憶媒体。
【請求項６０】
請求項５９に記載の非一過性コンピュータ可読記憶媒体と、
前記非一過性コンピュータ可読記憶媒体におけるプログラムを実行するための一つまたは複数のプロセッサーと、を備える
ことを特徴とするネットワーク側機器。
【請求項６１】
請求項２０〜２９のいずれか１項に記載のランダムアクセス方法を実行するための一つまたは複数のプログラムを含む
ことを特徴とする非一過性コンピュータ可読記憶媒体。
【請求項６２】
請求項６１に記載の非一過性コンピュータ可読記憶媒体と、
前記非一過性コンピュータ可読記憶媒体におけるプログラムを実行するための一つまたは複数のプロセッサーと、を備える
ことを特徴とするネットワーク側機器。
【発明の詳細な説明】
【技術分野】
【０００１】
本発明は、通信の分野に関し、特に、周波数選択方法、ランダムアクセス方法および装置に関する。
【背景技術】
【０００２】
第３と第４世代（３Ｇと４Ｇ）ネットワークにおいて、システムのアップリンクカバレッジはダウンリンクカバレッジよりもカバレッジ能力が劣るため、アップリンクデータの伝送に影響を与えてしまうが、第５世代（５Ｇ）ネットワークにおいて、アップリンクカバレッジ能力とダウンリンクカバレッジ能力との間の格差がより一層顕著となるので、高周波数帯と低周波数帯を組み合わせて使用することを考慮する必要があり、即ち、高周波数帯自体のアップリンクカバレッジが限られた時に、低周波数帯のアップリンク周波数でアップリンクデータを伝送することであり、そのうち、高周波数帯は、容量供給のために２８ＧＨｚ、３．５ＧＨｚなどの周波数を含むことができ、低周波数帯は、カバレッジ供給のために９００ＭＨｚなどの周波数を含むことができる。
【０００３】
現在では、高周波数帯と低周波数帯の組み合わせは、一般的に二種類の方法によって実現され、一種の実現方法は、キャリアアグリゲーションを用いる方法であり、他種の実現方法は、ダブルコネクションによる方法であり、即ち、端末がそれぞれマスタサービスネットワーク側機器およびサブサービスネットワーク側機器と通信接続を確立することである。しかしながら、どちらの実現方法を使用するにかかわらず、いずれにおいても、端末に対してマスタサービスネットワーク側機器およびサブサービスネットワーク側機器を配置必要があり、且つ、２０ｍｓ〜５０ｍｓの配置時間が必要となり、配置の遅延が比較的長いので、データ伝送の遅延が比較的長くなってしまう。ＯＴＴ（オーティーティ）サービス、ＩｏＴ（モノのインターネット）またはＩｏＶ（自動車分野のＩｏＴ）などに関係する突発的パケットサービスは、データ伝送の遅延に対して比較的高い要求が求められるので、データ伝送の比較的長い遅延は、これらのサービスにおけるデータ伝送の遅延に対するニーズを満たすことができない。
【発明の概要】
【発明が解決しようとする課題】
【０００４】
上記問題を解決するために、本発明は、周波数選択方法、ランダムアクセス方法および装置を提供する。
【課題を解決するための手段】
【０００５】
上記目的を達成するために、本発明の実施例の第１側面によれば、一種の周波数選択方法が提供される。当該周波数選択方法は、ネットワーク側機器に適用され、且つ、ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定することと、端末が前記第１バンドセットによって前記ネットワーク側機器がサポートする第１動作バンドに含まれる前記少なくとも一つのアップリンク周波数範囲と前記少なくとも一つのダウンリンク周波数範囲を特定するように、前記第１バンドセットを同報通信することと、を含む。
【０００６】
本発明の実施例の第２側面によれば、一種のランダムアクセス方法が提供される。当該ランダムアクセス方法は、端末に適用され、且つ、ネットワーク側機器によって同報通信される、前記ネットワーク側機器によってサポートされ且つ少なくとも一つのアップリンク周波数範囲と少なくとも一つのダウンリンク周波数範囲を有する少なくとも一つの第１動作バンドを含む第１バンドセットを受信することと、前記第１バンドセットと、前記端末によってサポートされ且つ少なくとも一つのアップリンク周波数範囲と少なくとも一つのダウンリンク周波数範囲を有する少なくとも一つの第２動作バンドを含む第２バンドセットとによって、前記ネットワーク側機器にアクセスするか否かを決定することと、を含む。
【０００７】
本発明の実施例の第３側面によれば、一種の周波数選択装置が提供される。当該周波数選択装置は、ネットワーク側機器に適用され、且つ、ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定するために用いられる特定モジュールと、端末が前記第１バンドセットによって前記ネットワーク側機器がサポートする第１動作バンドに含まれる前記少なくとも一つのアップリンク周波数範囲と少なくとも一つのダウンリンク周波数範囲を特定するように、第１バンドセットを同報通信するために用いられる同報通信モジュールと、を備える。
【０００８】
本発明の実施例の第４側面によれば、一種のランダムアクセス装置が提供される。当該ランダムアクセス装置は、端末に適用され、且つ、ネットワーク側機器によって同報通信される、前記ネットワーク側機器によってサポートされ且つ少なくとも一つのアップリンク周波数範囲と少なくとも一つのダウンリンク周波数範囲を有する少なくとも一つの第１動作バンドを含む第１バンドセットを受信するために用いられる受信モジュールと、前記第１バンドセットと、前記端末によってサポートされ且つ少なくとも一つのアップリンク周波数範囲と少なくとも一つのダウンリンク周波数範囲を有する少なくとも一つの第２動作バンドを含む第２バンドセットとによって、前記ネットワーク側機器にアクセスするか否かを決定するために用いられるアクセス判定モジュールと、を備える。
【０００９】
本発明の実施例の第５側面によれば、一種の非一過性コンピュータ可読記憶媒体が提供される。前記非一過性コンピュータ可読記憶媒体は、上記第１側面に記載の周波数選択方法を実行するための一つまたは複数のプログラムを含む。
【００１０】
本発明の実施例の第６側面により、一種のネットワーク側機器が提供される。前記ネットワーク側機器は、上記第５側面に記載の非一過性コンピュータ可読記憶媒体と、前記非一過性コンピュータ可読記憶媒体におけるプログラムを実行するための一つまたは複数のプロセッサーと、を備える。
【００１１】
本発明の実施例の第７側面によれば、一種の非一過性コンピュータ可読記憶媒体が提供される。前記非一過性コンピュータ可読記憶媒体は、上記第２側面に記載のランダムアクセス方法を実行するための一つまたは複数のプログラムを含む。
【００１２】
本発明の実施例の第８側面によれば、一種の端末が提供される。前記端末は、上記第７側面に記載の非一過性コンピュータ可読記憶媒体と、前記非一過性コンピュータ可読記憶媒体におけるプログラムを実行するための一つまたは複数のプロセッサーと、を備える。
【発明の効果】
【００１３】
上記の技術方案によれば、ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定し、且つ、端末が前記第１バンドセットによって前記ネットワーク側機器がサポートする第１動作バンドに含まれる前記少なくとも一つのアップリンク周波数範囲と前記少なくとも一つのダウンリンク周波数範囲を特定するように、前記第１バンドセットを同報通信する。このようにして、ネットワーク側機器は、自体がサポートする動作バンドを端末に同報通信することができ、従来技術におけるマスタサービスネットワーク側機器およびサブサービスネットワーク側機器に対する配置を回避し、配置に必要な時間を節約して、データ伝送の遅延を低減してデータの伝送効率を向上することができる。
【図面の簡単な説明】
【００１４】
【図１】本発明の実施例に提供される一種の周波数選択方法のフローチャートである。
【図２】本発明の実施例に提供される一種のランダムアクセス方法のフローチャートである。
【図３】本発明の実施例に提供される一種のアップリンクデータの伝送方法におけるシグナリンク相互作用を示す模式図である。
【図４】本発明の実施例に提供される一種の周波数選択装置の構成を示す図である。
【図５】本発明の実施例に提供されるもう一種の周波数選択装置の構成を示す図である。
【図６】本発明の実施例に提供される三種目の周波数選択装置の構成を示す図である。
【図７】本発明の実施例に提供される四種目の周波数選択装置の構成を示す図である。
【図８】本発明の実施例に提供される五種目の周波数選択装置の構成を示す図である。
【図９】本発明の実施例に提供される一種のランダムアクセス装置の構成を示す図である。
【図１０】本発明の実施例に提供されるもう一種のランダムアクセス装置の構成を示す図である。
【図１１】本発明の実施例に提供される三種目のランダムアクセス装置の構成を示す図である。
【図１２】本発明の実施例に提供される四種目のランダムアクセス装置の構成を示す図である。
【図１３】本発明の実施例に提供される一種の周波数選択装置またはランダムアクセス装置のハードウェア構成を示す図である。
【発明を実施するための形態】
【００１５】
以下、図面を参照しながら、本発明の具体的な実施形態を詳細に説明する。なお、ここで説明する具体的な実施形態は本発明を説明して解釈するためのものに過ぎず、本発明を制限するものではないことを理解すべきである。
【００１６】
以下の実施例によって提供される技術方案は、５Ｇ移動通信システムに適用されることができる。当該システムには、ネットワーク側機器と端末が含まれることができ、当該ネットワーク側機器は、端末と通信する機器である、特定の物理的領域に通信カバレッジを提供できる基地局（Ｂａｓｅ Ｓｔａｔｉｏｎ、「ＢＳ」と略称する）であってもよい。例えば、具体的には、基地局はＬＴＥにおける発展型ノードＢ（ｅｖｏｌｕｔｉｏｎａｌ  ｎｏｄｅＢ、「ＥＮＢ」または「ｅＮｏｄｅＢ」と略称する）であってもよく、または、無線通信ネットワークにおけるアクセスサービスを提供するその他のアクセスネットワーク機器であってもよい。
【００１７】
端末は、移動通信システムの全体に分布することができ、各々の端末を静的または移動可能にすることができる。例えば、端末は、モバイルステーション（ｍｏｂｉｌｅ  ｓｔａｔｉｏｎ）、サブスクライバ・ユニット（ｓｕｂｓｃｒｉｂｅｒ  ｕｎｉｔ）、ステーション（ｓｔａｔｉｏｎ）であってもよく、セルラーホン（ｃｅｌｌｕｌａｒ  ｐｈｏｎｅ）、パーソナルデジタルアシスタント（ｐｅｒｓｏｎａｌ  ｄｉｇｉｔａｌ  ａｓｓｉｓｔａｎｔ、「ＰＤＡ」と略称する）、ハンドヘルド（ｈａｎｄｈｅｌｄ）、ラップトップ型パーソナルコンピュータ（ｌａｐｔｏｐ  ｃｏｍｐｕｔｅｒ）などの無線通信デバイスであってもよい。
【００１８】
以下、具体的な実施例を結合して本発明を詳細に説明する。
【００１９】
図１は、本発明の実施例に提供される一種の周波数選択方法に係る。図１に示すように、当該周波数選択方法は、ネットワーク側機器に適用され、且つ以下のステップを含む。
【００２０】
Ｓ１０１：第１バンド（周波数帯）セットを特定する。
【００２１】
そのうち、当該第１バンドセットは、ネットワーク側機器によってサポートされる少なくとも一つの第１動作バンドを含み、当該第１動作バンドは、少なくとも一つのアップリンク周波数範囲と少なくとも一つのダウンリンク周波数範囲を含む。
【００２２】
当該ステップにおいて、ネットワーク側機器は、自体がサポートする動作バンドの能力に応じて、アップリンク周波数範囲とダウンリンク周波数範囲のペアリングを行うことができる。
【００２３】
当該ペアイングは、高周波数のＴＤＤ（Ｔｉｍｅ  Ｄｉｖｉｓｉｏｎ  Ｄｕｐｌｅｘｉｎｇ、時分割複信）／ＦＤＤ（Ｆｒｅｑｕｅｎｃｙ  Ｄｉｖｉｓｉｏｎ  Ｄｕｐｌｅｘｉｎｇ、周波数分割複信）バンドと低周波数のＦＤＤ／ＴＤＤバンドのペアリングを採用することができる。
【００２４】
具体的には、ネットワーク側機器の動作バンドの能力に応じて、上記のペアリングは、高周波数のＴＤＤのダウンリンク周波数範囲と高周波数のＴＤＤのアップリンク周波数範囲とのペアリング、高周波数のＴＤＤのダウンリンク周波数範囲と高周波数のＦＤＤのアップリンク周波数範囲とのペアリング、高周波数のＴＤＤのダウンリンク周波数範囲と低周波数のＦＤＤのアップリンク周波数範囲とのペアリング、高周波数のＴＤＤのダウンリンク周波数範囲と低周波数のＴＤＤのアップリンク周波数範囲とのペアリング、高周波数のＦＤＤのダウンリンク周波数範囲と高周波数のＴＤＤのアップリンク周波数範囲とのペアリング、高周波数のＦＤＤのダウンリンク周波数範囲と高周波数のＦＤＤのアップリンク周波数範囲とのペアリング、高周波数のＦＤＤのダウンリンク周波数範囲と低周波数のＦＤＤのアップリンク周波数範囲とのペアリング、高周波数のＦＤＤのダウンリンク周波数範囲と低周波数のＴＤＤのアップリンク周波数範囲とのペアリング、低周波数のＴＤＤのダウンリンク周波数範囲と低周波数のＴＤＤのアップリンク周波数範囲とのペアリング、低周波数のＴＤＤのダウンリンク周波数範囲と低周波数のＦＤＤのアップリンク周波数範囲とのペアリング、低周波数のＦＤＤのダウンリンク周波数範囲と低周波数のＴＤＤのアップリンク周波数範囲とのペアリング、または、低周波数のＦＤＤのダウンリンク周波数範囲と低周波数のＦＤＤのアップリンク周波数範囲とのペアリングであることができる。
【００２５】
５Ｇネットワークを例として説明すると、５Ｇネットワークにおいて、システムのアップリンクカバレッジはダウンリンクカバレッジよりもカバレッジ能力が劣り、且つ、両者の間に明らかな格差があるので、高周波数帯と低周波数帯を組み合わせて使用することを考えられ、即ち、高周波数帯自体のアップリンクカバレッジが限られた時に、低周波数帯のアップリンク周波数でアップリンクデータを伝送することである。このようにして、５Ｇネットワークにおいて、具体的に下記のバンドのペアリングを選択することができる。すなわち、
高周波数のＴＤＤのダウンリンク周波数範囲と低周波数のＦＤＤのアップリンク周波数範囲とのペアリング、
高周波数のＴＤＤのダウンリンク周波数範囲と低周波数のＴＤＤのアップリンク周波数範囲とのペアリング、
高周波数のＦＤＤのダウンリンク周波数範囲と低周波数のＦＤＤのアップリンク周波数範囲とのペアリング、
高周波数のＦＤＤのダウンリンク周波数範囲と低周波数のＴＤＤのアップリンク周波数範囲とのペアリングである。
【００２６】
つまり、ペアリングを行う場合、高周波数帯をダウンリンク周波数範囲として選用し、低周波数帯をアップリンク周波数範囲として選用する。このようにすると、高周波数帯自体のアップリンクカバレッジが限られた時に、低周波数帯のアップリンク周波数でアップリンクデータを伝送して、カバレッジ能力を向上することができる。
【００２７】
Ｓ１０２：端末が当該第１バンドセットによって、当該ネットワーク側機器がサポートする第１動作バンドに含まれる当該少なくとも一つのアップリンク周波数範囲と当該少なくとも一つのダウンリンク周波数範囲を特定するために、第１バンドセットを同報通信（ブロードキャスト）する。
【００２８】
上記の方法によれば、ネットワーク側機器は、自体がサポートする動作バンドを端末に同報通信することができ、従来技術におけるマスタサービスネットワーク側機器およびサブサービスネットワーク側機器に対する配置を回避し、配置に必要な時間を節約して、データ伝送の遅延を低減してデータの伝送効率を向上することができる。
【００２９】
図２は、本発明の実施例に提供される一種のランダムアクセス方法に係る。図２に示すように、当該ランダムアクセス方法は、端末に適用され、且つ以下のステップを含む。
【００３０】
Ｓ２０１：ネットワーク側機器によって同報通信された第１バンドセットを受信する。
【００３１】
そのうち、当該第１バンドセットは、当該ネットワーク側機器によってサポートされる少なくとも一つの第１動作バンドを含み、当該第１動作バンドは、少なくとも一つのアップリンク周波数範囲と少なくとも一つのダウンリンク周波数範囲を含む。
【００３２】
Ｓ２０２：当該第１バンドセット及び第２バンドセットによって、当該ネットワーク側機器にアクセスするか否かを決定する。
【００３３】
そのうち、当該第２バンドセットは、当該端末によってサポートされる少なくとも一つの第２動作バンドを含み、当該第２動作バンドは、少なくとも一つのアップリンク周波数範囲と少なくとも一つのダウンリンク周波数範囲を含む。
【００３４】
上記の方法によれば、端末は、ネットワーク側機器に同報通信されたネットワーク側機器がサポートする動作バンド、および端末自体がサポートする動作バンドによって、ランダムアクセスするか否かを決定することができ、従来技術におけるマスタサービスネットワーク側機器およびサブサービスネットワーク側機器に対する配置を回避し、配置に必要な時間を節約して、データ伝送の遅延を低減してランダムアクセスの効率を向上することができる。
【００３５】
図３は、本発明の実施例に提供される一種のアップリンクデータの伝送方法に係る。図３に示すように、本実施例において、端末は、上記のランダムアクセス方法によってネットワーク側機器にアクセスすることができ、ネットワーク側機器は、上記の周波数選択方法によって端末のためにアップリンクデータを送信するためのアップリンク周波数範囲を選択する。当該方法は、下記のステップを含む。
【００３６】
Ｓ３０１：ネットワーク側機器は、第１バンドセットを特定した後に、目的ダウンリンクバンドにおいて第１バンドセットを同報通信する。
【００３７】
そのうち、当該目的ダウンリンク周波数範囲は、ネットワーク管理システムまたは当該ネットワーク側機器が第１バンドセットにおける各ダウンリンク周波数範囲でのキャリアのネットワークカバレッジの能力によって配置するものであり、及び／又は、当該目的ダウンリンク周波数範囲は、当該ネットワーク管理システムまたは当該ネットワーク側機器が第１バンドセットにおける各ダウンリンク周波数範囲でのキャリアの負荷状態によって配置するものである。
【００３８】
このステップにおいて、当該第１バンドセットは、ネットワーク側機器によってサポートされる少なくとも一つの第１動作バンドを含み、当該第１動作バンドは、少なくとも一つのアップリンク周波数範囲と少なくとも一つのダウンリンク周波数範囲を含む。
【００３９】
一種の実現可能な方式では、当該第１動作バンドは以下の二種類の構成形態を含むことができる。そのうちの一種の構成形態は、各第１動作バンドごとに当該ネットワーク側機器によってサポートされる少なくとも一つのアップリンク周波数範囲と少なくとも一つのダウンリンク周波数範囲を含むことである。
【００４０】
例えば、当該第１バンドセットは一つの第１動作バンドを含み、当該第１バンドセットは以下のことを含むことができる。
｛第１動作バンド１：
（アップリンク周波数範囲１：１７１０〜１７８５ＭＨｚ
アップリンク周波数範囲２：３３００〜４２００ＭＨｚ
ダウンリンク周波数範囲１：３３００〜４２００ＭＨｚ）
｝
【００４１】
上記の第１バンドセットは、ネットワーク側機器が上記のアップリンク周波数範囲１またはアップリンク周波数範囲２においてアップリンクデータを伝送することと、ダウンリンク周波数範囲１においてダウンリンクデータを伝送することをサポートすることを表す。
【００４２】
別の例として、例えば、当該第１バンド情報は複数の第１動作バンドを含み、当該第１バンドセットは以下のことを含むことができる。
｛第１動作バンド１：
（アップリンク周波数範囲１：１７１０〜１７８５ＭＨｚ
アップリンク周波数範囲２：３３００〜４２００ＭＨｚ
ダウンリンク周波数範囲１：１８０５〜１８８０ＭＨｚ）
ダウンリンク周波数範囲２：３３００〜４２００ＭＨｚ）
第１動作バンド２：
（アップリンク周波数範囲１：８２０〜８３０ＭＨｚ
アップリンク周波数範囲２：３３００〜４２００ＭＨｚ
ダウンリンク周波数範囲１：３３００〜４２００ＭＨｚ）
｝
【００４３】
上記の第１動作バンドは、当該ネットワーク側機器が上記の第１動作バンド１のアップリンク周波数範囲１およびアップリンク周波数範囲２においてアップリンクデータを伝送することと、上記の第１動作バンド１のダウンリンク周波数範囲１およびダウンリンク周波数範囲２においてダウンリンクデータを伝送することをサポートすることを表す。ネットワーク側機器は、第１動作バンド２のアップリンク周波数範囲１およびアップリンク周波数範囲２においてアップリンクデータを伝送することと、第１動作バンド２のダウンリンク周波数範囲１においてダウンリンクデータを伝送することをサポートすることもできる。
【００４４】
もう一種の構成形態は、各第１動作バンドが、当該ネットワーク側機器によってサポートされるアップリンク周波数範囲を示す第１バンド識別子と、当該ネットワーク側機器によってサポートされるダウンリンク周波数範囲を示す第２ダウンリンクバンド識別子とを含むことである。
【００４５】
そのうち、当該第１バンド識別子は、ネットワーク側機器によってサポートされるアップリンク周波数範囲に対応する番号であってもよく、当該第２バンド識別子は、ネットワーク側機器によってサポートされるダウンリンク周波数範囲に対応する番号であってもよく、異なる番号のバンドは、異なる周波数範囲を表す。
【００４６】
例えば、当該第１バンドセットは、以下のことを含むことができる。
｛第１動作バンド１：
（アップリンクバンド１：バンド３、バンド８、バンド４２；
ダウンリンクバンド１：バンド８、バンド４２）
第２動作バンド２：
（アップリンクバンド１：バンド４、バンド７、バンド４３；
ダウンリンクバンド１：バンド７、バンド４３）
｝
【００４７】
そのうち、上記の数字「１」、「３」、「８」、「４２」などは、バンドの番号であり、上記第１動作バンドは、ネットワーク側機器が第１動作バンド１のバンド３、バンド８、バンド４２に示されるアップリンク周波数範囲においてアップリンクデータを伝送し、且つ、バンド８、バンド４２に示されるダウンリンク周波数範囲においてダウンリンクデータを伝送することをサポートする。また、上記第１動作バンドは、ネットワーク側機器が第１動作バンド２のバンド４、バンド７、バンド４３に示されるアップリンク周波数範囲においてアップリンクデータを伝送し、且つ、バンド７、バンド４３に示されるダウンリンク周波数範囲においてダウンリンクデータを伝送することもサポートできる。
【００４８】
Ｓ３０２：端末は、第２バンドセットを取得する。
【００４９】
そのうち、当該第２バンドセットは、当該端末によってサポートされる少なくとも一つの第２動作バンドを含み、当該第２動作バンドは、少なくとも一つのアップリンク周波数範囲と少なくとも一つのダウンリンク周波数範囲を含む。
【００５０】
なお、当該第２バンドセットにおける第２動作バンドの構成形態については、前記の第１バンドセットにおける第１動作バンドの構成形態に対する説明を参照でき、ここでこれ以上贅言しない。
【００５１】
Ｓ３０３：端末は、第１アップリンク周波数範囲または第１アップリンクキャリアを特定する。
【００５２】
このステップにおいて、以下の二種類の方式によって当該第１アップリンク周波数範囲または第１アップリンクキャリアを特定することができる。
【００５３】
方式１：
ネットワーク側機器は、当該ネットワーク側機器にサポートされる少なくとも一つのアップリンク周波数範囲から第１アップリンク周波数範囲または第１アップリンクキャリアを特定し、且つ、当該端末がアップリンクバンド指示メッセージによって当該第１アップリンク周波数範囲または当該第１アップリンクキャリアを特定するように、当該第１アップリンク周波数範囲を指示するまたは当該第１アップリンクキャリアの中心周波数および帯域幅を指示するためのアップリンクバンド指示メッセージを同報通信する。
【００５４】
一種の実現可能な方式では、ネットワーク側機器は、第１アップリンクキャリアの中心周波数およびアップリンク帯域幅、例えば、アップリンク周波数範囲８８０〜９１５ＭＨｚにおけるアップリンク中心キャリア周波数を特定することができ、ネットワーク側機器は、当該アップリンク中心キャリア周波数およびアップリンク帯域幅（例えば、アップリンク中心キャリア周波数：８８５ＭＨｚ、アップリンク帯域幅：１０ＭＨｚ）を含むことを同報通信する。
【００５５】
もう一種の実現可能な方式では、ネットワーク側機器は、第１アップリンク周波数範囲を特定して、当該範囲に基づいてアップリンク中心キャリア周波数を算出することもできる。
【００５６】
方式２：
端末は、前記目的ダウンリンク周波数範囲においてダウンリンク参照信号またはダウンリンク同期信号を受信する第１受信電力を取得し、前記第２バンドセットと前記第１受信電力によって前記第１バンドセットから前記第１アップリンク周波数範囲または第１アップリンクキャリアを特定する。
【００５７】
なお、上記の第１アップリンク周波数範囲または第１アップリンクキャリアは、通常にバンドが最低のバンドから得られ、カバレッジエリア内の端末がランダムアクセスリクエストを成功に送信できることを満たせれば良いである。
【００５８】
Ｓ３０４：端末は、第１バンドセットと第２バンドセットによって当該ネットワーク側機器にアクセスするか否かを決定する。
【００５９】
このステップにおいて、端末は、当該ネットワーク側機器にサポートされる第１動作バンドと当該端末にサポートされる第２動作バンドとの間には同一の動作バンドがあるか否かを特定することができ、同一の動作バンドがあることを特定した場合、当該ネットワーク側機器にアクセスできることを決定し、同一の動作バンドが無いことを特定した場合、当該ネットワーク側機器にアクセスできないことを決定する。
【００６０】
例えば、当該第１バンドセットは、以下のことを含む。
｛第１動作バンド１：
（アップリンク周波数範囲１：１７１０〜１７８５ＭＨｚ
アップリンク周波数範囲２：３３００〜４２００ＭＨｚ
ダウンリンク周波数範囲１：３３００〜４２００ＭＨｚ）
第１動作バンド２：
（アップリンク周波数範囲１：８２０〜８３０ＭＨｚ
アップリンク周波数範囲２：８８０〜９１５ＭＨｚ
ダウンリンク周波数範囲１：４４００〜４５００ＭＨｚ）
｝
【００６１】
当該第２バンドセットは、以下のことを含む。
｛第２動作バンド１：
（アップリンク周波数範囲１：１７１０〜１７８５ＭＨｚ
アップリンク周波数範囲２：３３００〜４２００ＭＨｚ
ダウンリンク周波数範囲１：３３００〜４２００ＭＨｚ）
第２動作バンド２：
（アップリンク周波数範囲１：１７１０〜１７８５ＭＨｚ
アップリンク周波数範囲２：３３００〜４２００ＭＨｚ
ダウンリンク周波数範囲１：４４００〜４５００ＭＨｚ）
｝
【００６２】
以上から分かるように、端末によってサポートされる第２動作バンド１におけるアップリンク周波数範囲１とダウンリンク周波数範囲１の組合せは、ネットワーク側機器によってサポートされる第１動作バンド１におけるアップリンク周波数範囲１とダウンリンク周波数範囲１の組合せと同じであるので、端末は、ネットワーク側機器にアクセスできることを決定する。
【００６３】
なお、上記の例において、第２動作バンド１におけるアップリンク周波数範囲２とダウンリンク周波数範囲１の組合せも、第１動作バンド１におけるアップリンク周波数範囲２とダウンリンク周波数範囲１の組合せと同じである。当然ながら、その他の同じ組合せが存在する可能性もあり、ここで一々列挙しない。本実施例において、端末は、当該ネットワーク側機器によってサポートされる第１動作バンドと当該端末によってサポートされる第２動作バンドとの間には同じアップリンク周波数範囲および同じダウンリンク周波数範囲があると、同一の動作バンドがあることを決定するだけでよい。
【００６４】
別の例として、例えば、当該第１バンドセットは以下のことを含む。
｛第１動作バンド１：
（アップリンク周波数範囲１：１７１０〜１７８５ＭＨｚ
アップリンク周波数範囲２：３３００〜４２００ＭＨｚ
アップリンク周波数範囲３：８８０〜９１５ＭＨｚ
ダウンリンク周波数範囲１：３３００〜４２００ＭＨｚ）
第１動作バンド２：
（アップリンク周波数範囲１：８２０〜８３０ＭＨｚ
アップリンク周波数範囲２：８８０〜９１５ＭＨｚ
ダウンリンク周波数範囲１：４４００〜４５００ＭＨｚ）
｝
【００６５】
当該第２バンドセットは、以下のことを含む。
｛第２動作バンド１：
（アップリンク周波数範囲１：１７１０〜１７８５ＭＨｚ
アップリンク周波数範囲２：３３００〜４２００ＭＨｚ
ダウンリンク周波数範囲１：３３００〜４２００ＭＨｚ）
第２動作バンド２：
（アップリンク周波数範囲１：１７１０〜１７８５ＭＨｚ
アップリンク周波数範囲２：３３００〜４２００ＭＨｚ
ダウンリンク周波数範囲１：４４００〜４５００ＭＨｚ）
｝
【００６６】
以上から分かるように、第２動作バンド１におけるアップリンク周波数範囲１とダウンリンク周波数範囲１の組合せは、第１動作バンド１におけるアップリンク周波数範囲１とダウンリンク周波数範囲１の組合せと同じである（即ち、同じアップリンク周波数および同じダウンリンク周波数を有する）ので、端末は、ネットワーク側機器にアクセスできることを決定する。
【００６７】
なお、第２動作バンド１におけるアップリンク周波数範囲２とダウンリンク周波数範囲１の組合せも、第１動作バンド１におけるアップリンク周波数範囲２とダウンリンク周波数範囲１の組合せと同じである。当然ながら、その他の同じ組合せが存在する可能性もあり、ここで一々列挙しない。本実施例において、端末は、当該ネットワーク側機器によってサポートされる第１動作バンドと当該端末によってサポートされる第２動作バンドとの間には同じアップリンク周波数範囲および同じダウンリンク周波数範囲があると、同一の動作バンドがあったことを決定するだけでよい。
【００６８】
また、上記の例に比べて、本例において、第１バンドセットにサポートされる第１動作バンド１には第１アップリンク周波数３がさらに含まれ、即ち、本例における第１バンドセットと第２バンドセットは、全く同じというわけではない。これから分かるように、端末は、第１バンドセットと第２バンドセットとの間には同じアップリンク周波数範囲および同じダウンリンク周波数範囲を有する動作バンドがあったことを決定さえすれば、当該ネットワーク側機器にアクセスすることを決定することができ、当該ネットワーク側機器にアクセスすることを決定することができ、第１バンドセットと第２バンドセットとの動作バンドを完全に同じくする必要はない。
【００６９】
また、別の例として、例えば、当該第１バンドセットは以下のことを含む。
｛第１動作バンド１：
（アップリンク周波数範囲１：１７１０〜１７８５ＭＨｚ
アップリンク周波数範囲２：３３００〜４２００ＭＨｚ
ダウンリンク周波数範囲１：３３００〜４２００ＭＨｚ）
｝
【００７０】
当該第２バンドセットは、以下のことを含む。
｛第２動作バンド１：
（アップリンク周波数範囲１：１７１０〜１７５５ＭＨｚ
アップリンク周波数範囲２：３３００〜３８００ＭＨｚ
ダウンリンク周波数範囲１：３３００〜３８００ＭＨｚ）
第２動作バンド２：
（アップリンク周波数範囲１：１７１０〜１７８５ＭＨｚ
アップリンク周波数範囲２：３３００〜４２００ＭＨｚ
ダウンリンク周波数範囲１：４４００〜４５００ＭＨｚ）
｝
【００７１】
以上から分かるように、端末によってサポートされる第２動作バンド１におけるアップリンク周波数範囲１と、ネットワーク側機器によってサポートされる第１動作バンド１におけるアップリンク周波数範囲１との間には、重畳（オーバラップ）周波数（即ち、二つの周波数範囲のインターセクション）である１７１０〜１７５５ＭＨｚが存在し、端末によってサポートされる第２動作バンド１におけるダウンリンク周波数範囲１と、ネットワーク側機器によってサポートされる第１動作バンド１におけるダウンリンク周波数範囲１との間には、重畳周波数である３３００〜３８００ＭＨｚが存在するので、同じアップリンク周波数範囲および同じダウンリンク周波数範囲があったことを決定し、これにより、端末は、当該ネットワーク側機器にアクセスすることを決定する。
【００７２】
なお、端末によってサポートされる第２動作バンド１におけるアップリンク周波数範囲２と、ネットワーク側機器によってサポートされる第１動作バンド１におけるアップリンク周波数範囲２との間には、重畳周波数である３３００〜３８００ＭＨｚが存在し、端末によってサポートされる第２動作バンド１におけるダウンリンク周波数範囲１と、ネットワーク側機器によってサポートされる第１動作バンド１におけるダウンリンク周波数範囲１との間には、重畳周波数である３３００〜３８００ＭＨｚが存在する。当然ながら、重畳されるアップリンク周波数範囲（即ち、第１アップリンク周波数範囲と第２アップリンク周波数範囲との間には、重畳周波数がある）と重畳されるダウンリンク周波数範囲（（即ち、第１ダウンリンク周波数範囲と第２ダウンリンク周波数範囲との間には、重畳周波数がある））を有するその他の動作バンドが存在する可能性もあり、ここで一々列挙しない。本実施例において、端末は、第１バンドセットと第２バンドセットには、重畳されるアップリンク周波数範囲と重畳されるダウンリンク周波数を有する一つの動作バンドがあったことを決定さえすれば、当該ネットワーク側機器にアクセスすることを決定できる。
【００７３】
当該ネットワーク側機器にアクセスできることを決定したとき、ステップＳ３０５〜ステップＳ３１０を実行し、当該ネットワーク側機器にアクセスできないことを決定したとき、端末は、当該ネットワーク側機器がアクセス不可能なネットワーク側機器であることを決定する。
【００７４】
Ｓ３０５：端末は、当該アップリンク周波数範囲または第１アップリンクキャリアにおいて当該ネットワーク側機器にランダムアクセスリクエストを発する。
【００７５】
ここで、端末が当該ネットワーク側機器にアクセスした後、端末によって特定された第１アップリンク周波数範囲または第１アップリンクキャリアが通常にバンドが最低のバンドから得られ、カバレッジエリア内の端末がランダムアクセスリクエストを成功に送信できることを満たすものであるが、周波数が低いバンドは帯域幅が非常に限られていることが多いので、端末が当該ネットワーク側機器にアクセスした後に、第１アップリンク周波数範囲または第１アップリンクキャリアにおける渋滞を避けるために、ステップＳ３０６〜ステップＳ３０８を経て第２アップリンク周波数範囲または第２アップリンクキャリアを特定することができる。
【００７６】
Ｓ３０６：端末は、当該第１アップリンク周波数範囲または第１アップリンクキャリアにおいて当該ネットワーク側機器に端末バンド指示情報および電力レベルを送信する。
【００７７】
そのうち、当該端末バンド指示情報は、当該第２バンドセットを含み、当該電力レベルは、当該端末が当該端末によってサポートされるアップリンク周波数範囲での最大送信（放射）電力を表し、当該最大送信電力は、異なる端末が信号を送信する一番遠い達到可能な距離に対応し、異なる電力レベルの端末の一番遠い達到可能な距離は同じではなく、異なる電力レベルに対応する最大送信電力は、端末を設計する際のアプリケーションシナリオおよびコストなどに応じて配置することができ、端末は、あるバンドにおいて一つの電力レベルのみをサポートする。
【００７８】
例えば、端末がバンド９００ＭＨｚでの最大送信電力の電力レベルは「１」である場合、対応する最大送信電力は２３ｄＢｍであり、端末がバンド９００ＭＨｚでの最大送信電力の電力レベルは「２」である場合、対応する最大送信電力は２６ｄＢｍであり、端末がバンド９００ＭＨｚでの最大送信電力の電力レベルは「３」である場合、対応する最大送信電力は１４ｄＢｍである。端末がバンド３．５ＧＨｚでの最大送信電力の電力レベルは「１」である場合、対応する最大送信電力は２０ｄＢｍであり、端末がバンド３．５ＧＨｚでの最大送信電力の電力レベルは「２」である場合、対応する最大送信電力は２３ｄＢｍであり、端末がバンド３．５ＧＨｚでの最大送信電力の電力レベルは「３」である場合、対応する最大送信電力は２６ｄＢｍである。
【００７９】
Ｓ３０７：ネットワーク側機器は、第１バンドセットと当該第２バンドセットによって、当該ネットワーク側機器と当該端末の両方によりサポートされるアップリンク周波数範囲を特定する。
【００８０】
Ｓ３０８：ネットワーク側機器は、電力レベルによって、当該ネットワーク側機器と当該端末の両方によりサポートされるアップリンク周波数範囲において第２アップリンク周波数範囲または第２アップリンクキャリアを特定する。
【００８１】
このステップにおいて、ネットワーク側機器は、以下のステップで第２アップリンク周波数範囲または第２アップリンクキャリアを特定することができる。
【００８２】
Ｓ１：ネットワーク側機器は、当該端末が当該目的ダウンリンク周波数範囲においてダウンリンク参照信号またはダウンリンク同期信号を受信する第１受信電力を取得する。
【００８３】
そのうち、当該第１受信電力は、当該ランダムアクセスリクエストから得られてもよく、端末によって報告された受信電力測定レポートから得られても良く、本願では、それに対して限定しない。
【００８４】
Ｓ２：ネットワーク側機器は、当該電力レベルによって、当該ネットワーク側機器と当該端末の両方によりサポートされるアップリンク周波数範囲に対応するアップリンクカバレッジ受信スレッショルド電力を取得する。
【００８５】
そのうち、当該アップリンクカバレッジ受信スレッショルド電力は、当該ネットワーク側機器と当該端末の両方によりサポートされるアップリンク周波数範囲に対応するアップリンクカバレッジ範囲を表し、当該アップリンクカバレッジ受信スレッショルド電力は大きいほど、識別子に対応するカバレッジ範囲は小さくなる。
【００８６】
このステップＳ２において、以下のステップで当該アップリンクカバレッジ受信スレッショルド電力を算出することができる。
【００８７】
Ｓ２１：ネットワーク側機器は、当該ネットワーク側機器が当該目的ダウンリンクバンドにおいて当該ダウンリンク参照信号を送信する第１送信電力、および当該端末が各々の当該ネットワーク側機器と当該端末の両方によりサポートされるアップリンク周波数範囲においてアップリンクデータを送信する時の、当該ネットワーク側機器に対応する最低受信電力を取得する。
【００８８】
Ｓ２２：ネットワーク側機器は、当該端末と当該ネットワーク側機器が各々の当該ネットワーク側機器と当該端末の両方によりサポートされるアップリンク周波数範囲においてのアップリンク経路損失値と、当該端末と当該ネットワーク側機器が当該目的ダウンリンク周波数範囲においてのダウンリンク経路損失値との間の損失差分値を取得する。
【００８９】
そのうち、当該アップリンク経路損失値と当該ダウンリンク経路損失値は、当該端末が同じ地理的位置で得られた経路損失値であり、当該アップリンク経路損失値と当該ダウンリンク経路損失値は、当該端末が同じ地理的位置で得られた経路損失値であり、当該アップリンク経路損失値と当該ダウンリンク経路損失値は、スペクトラムアナライザで測定することで得られ、または、該アップリンク経路損失値と当該ダウンリンク経路損失値は、典型的な伝搬モデルと第i個の第２ダウンリンクバンド及び第１ダウンリンクバンドの周波数によって算出することができる。例えば、密集市街地において、当該典型的な伝搬モデルはＨａｔａ伝搬モデルであってもよく、当該モデルによって経路損失値を算出する具体的な過程は、従来技術と同じであるので、ここでこれ以上贅言しない。
【００９０】
Ｓ２３：ネットワーク側機器は、当該第１受信電力、当該最低受信電力、当該損失差分値、及び当該電力レベルに基づいて、以下の公式で各々のネットワーク側機器と端末の両方によりサポートされるアップリンク周波数範囲に対応するアップリンクカバレッジ受信スレッショルド電力を得る。
【００９１】
ＲＳＲＰｔｈｒｅｓ＝Ｐｔｘ_１＋ＰＬｄｅｌｔａ＋ＰＲＸ_ｉ-ＰＵＬ_ｉ
【００９２】
そのうち、ＲＳＲＰｔｈｒｅｓは、第i個のアップリンク周波数範囲に対応するアップリンクカバレッジ受信スレッショルド電力であり、Ｐｔｘ_１は当該第１送信電力であり、ＰＬｄｅｌｔａは、当該端末と当該ネットワーク側機器が第i個のアップリンク周波数範囲においてのアップリンク経路損失値と、当該端末と当該ネットワーク側機器が当該目的ダウンリンクバンドにおいてのダウンリンク経路損失値との間の損失差分値であり、ＰＲＸ_ｉは、当該ネットワーク側機器と当該端末の両方によりサポートされる第i個のアップリンク周波数範囲においてアップリンクデータを送信する時の、当該ネットワーク側機器に対応する最低受信電力であり、ＰＵＬ_ｉは、当該第i個のアップリンク周波数範囲の電力レベルに対応する最大送信電力である。
【００９３】
Ｓ３：ネットワーク側機器は、当該第１受信電力と当該アップリンクカバレッジ受信スレッショルド電力によって、当該第２アップリンク周波数範囲または第２アップリンクキャリアを特定する。
【００９４】
一種の実現可能な方式では、当該第１受信電力が当該アップリンクカバレッジ受信スレッショルド電力のうちの第１アップリンクカバレッジ受信スレッショルド電力よりも大きいと、当該第１アップリンクカバレッジ受信スレッショルド電力に対応するアップリンク周波数範囲が当該第２アップリンク周波数範囲であることを特定し、または、当該第１アップリンクカバレッジ受信スレッショルド電力に対応するアップリンク周波数範囲に対応するキャリアが第２アップリンクギャリアであることを特定する。
【００９５】
なお、当該第１アップリンクカバレッジ受信スレッショルド電力は複数個である場合、スレッショルド電力が最高である第１アップリンクカバレッジ受信スレッショルド電力に対応するアップリンク周波数範囲が当該第２アップリンク周波数範囲であることを特定できる。
【００９６】
Ｓ３０９：ネットワーク側機器は、端末に第２アップリンク周波数範囲または第２アップリンクキャリアのリソース配置（ｒｅｓｏｕｒｃｅ  ｃｏｎｆｉｇｕｒａｔｉｏｎ）情報を送信する。
【００９７】
そのうち、当該第２アップリンク周波数範囲または第２アップリンクキャリアのリソース配置情報は、当該第２アップリンク周波数範囲または第２アップリンクキャリアの周波数、送信時間、リソースブロックの大きさ、及び使用する変調コーディング方式などの情報を含む。このようにして、端末は、当該第２アップリンク周波数範囲または第２アップリンクキャリアにおいてネットワーク側機器とデータを伝送することができる。
【００９８】
Ｓ３１０：ネットワーク側機器は、当該第２アップリンク周波数範囲または第２アップリンクキャリアの受信品質によって、当該端末のために第３アップリンク周波数範囲または第３アップリンクキャリアを選択するか否かを決定する。
【００９９】
一種の実現可能な方式では、以下の条件のいずれかを満たすと、当該端末のために第３アップリンク周波数範囲または第３アップリンクキャリアを選択する必要があることを決定する。
【０１００】
条件１：当該端末が当該第２アップリンク周波数範囲または第２アップリンクキャリアにおいてデータを伝送するビット誤り率またはブロック誤り率は、第１プリセット閾値よりも大きい。
そのうち、当該第１プリセット閾値は、ネットワーク側機器がサービスニーズに応じて設定することができる。
【０１０１】
条件２：当該端末が当該第２アップリンク周波数範囲または第２アップリンクキャリアにおいて伝送するアップリンク参照信号の第２受信電力は、第２プリセット閾値よりも小さい。
そのうち、当該第２プリセット閾値は、ネットワーク側機器が第３アップリンクバンドのカバレッジエッジの電力値に基づいて設定することができる。
【０１０２】
条件３：当該第１受信電力は、当該第２アップリンク周波数範囲または当該第２アップリンクキャリアが選択した対応するアップリンクカバレッジ受信スレッショルド電力よりも小さい。
【０１０３】
当該端末のために第３アップリンク周波数範囲または第３アップリンクキャリアを選択することを決定した場合、ステップＳ３１１〜ステップＳ３１４を実行する。
当該端末に対して第３アップリンク周波数範囲または第３アップリンクキャリアを選択しないことを決定した場合、ステップＳ３１５を実行する。
【０１０４】
Ｓ３１１：ネットワーク側機器は、候補アップリンク周波数範囲を特定する。
【０１０５】
そのうち、当該候補周波数範囲は、当該ネットワーク側機器と当該端末の両方によりサポートされるアップリンク周波数範囲における当該第２アップリンク周波数範囲以外のその他のアップリンク周波数範囲である。
【０１０６】
Ｓ３１２：ネットワーク側機器は、当該アップリンクカバレッジ受信スレッショルド電力と当該第１受信電力によって、当該候補アップリンク周波数範囲において当該第３アップリンク周波数範囲または第３アップリンクキャリアを特定する。
【０１０７】
このステップにおいて、第１受信電力によって、候補アップリンク周波数範囲において当該第３アップリンク周波数範囲または第３アップリンクキャリアを特定することができ、その具体的な実現方式は、上記のステップＳ３０７において第２アップリンク周波数範囲または第２アップリンクキャリアを特定する方式と同じであるので、ここでこれ以上贅言しない。
【０１０８】
Ｓ３１３：ネットワーク側機器は、端末に当該第３アップリンク周波数範囲または第３アップリンクキャリアのリソース配置情報を送信する。
【０１０９】
そのうち、当該第３アップリンク周波数範囲または第３アップリンクキャリアのリソース配置情報は、第３アップリンク周波数範囲または第３アップリンクキャリアの周波数、送信時間、リソースブロックの大きさ、及び使用する変調コーディング方式などの情報を含んでもよい。
【０１１０】
Ｓ３１４：当該端末は、当該第３アップリンク周波数範囲または第３アップリンクキャリアのリソース配置情報によって、当該第３アップリンク周波数範囲または第３アップリンクキャリアにおいてアップリンクデータを送信する。
【０１１１】
Ｓ３１５：当該端末は、当該第２アップリンク周波数範囲または第２アップリンクキャリアのリソース配置情報によって、当該第２アップリンク周波数範囲または第２アップリンクキャリアにおいてアップリンクデータを送信する。
【０１１２】
上記の方法によれば、ネットワーク側機器は、自体がサポートする動作バンドを端末に同報通信することができ、従来技術におけるマスタサービスネットワーク側機器およびサブサービスネットワーク側機器に対する配置を回避し、配置に必要な時間を節約して、データ伝送の遅延を低減してアップリンクデータの伝送効率を向上することができる。
【０１１３】
図４は、本発明の実施例に提供される一種のバンド選択装置に係る。図４に示すように、当該装置は、
ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定するために用いられるバンド特定モジュール４０１と、
端末が当該第１バンドセットによって当該ネットワーク側機器にサポートされる第１動作バンドに含まれる当該少なくとも一つのアップリンク周波数範囲と当該少なくとも一つのダウンリンク周波数範囲を特定するように、当該第１バンドセットを同報通信するために用いられる同報通信モジュール４０２と、を備える。
【０１１４】
好ましくは、当該第１バンドセットは、当該ネットワーク側機器によってサポートされるアップリンク周波数範囲を指示する第１バンド識別子と、当該ネットワーク側機器によってサポートされるダウンリンク周波数範囲を指示する第２バンド識別子と、を含む。
【０１１５】
好ましくは、当該同報通信モジュール４０２は、当該第１バンドセットにおいて目的ダウンリンク周波数範囲を特定し、且つ当該目的ダウンリンク周波数範囲で当該第１バンドセットを同報通信するために用いられる。
【０１１６】
好ましくは、当該目的ダウンリンク周波数範囲は、ネットワーク管理システムまたは当該ネットワーク側機器が第１バンドセットにおける各ダウンリンク周波数範囲でのキャリアのネットワークカバレッジの能力によって配置するものであり、及び／又は、当該目的ダウンリンク周波数範囲は、当該ネットワーク管理システムまたは当該ネットワーク側機器が第１バンドセットにおける各ダウンリンク周波数範囲でのキャリアの負荷状態によって配置するものである。
【０１１７】
好ましくは、図５に示すように、当該装置は、当該端末が当該ネットワーク側機器または当該端末によって特定された第１アップリンク周波数範囲または第１アップリンクキャリアにおいて送信したランダムアクセスリクエストメッセージを受信するために用いられるアクセスリクエスト受信モジュール４０３を、さらに備える。
【０１１８】
好ましくは、図６に示すように、当該装置は、
当該ネットワーク側機器によってサポートされる少なくとも一つのアップリンク周波数範囲から第１アップリンク周波数範囲または第１アップリンクキャリアを特定するために用いられる第１特定モジュール４０４と、
当該端末がアップリンクバンド指示メッセージによって当該第１アップリンク周波数範囲または第１アップリンクキャリアを特定するように、当該第１アップリンク周波数範囲を指示する、または、当該第１アップリンクキャリアの中心周波数および帯域幅を指示するためのアップリンクバンド指示メッセージを同報通信するためにも用いられる当該同報通信モジュール４０２と、をさらに備える。
【０１１９】
好ましくは、図７に示すように、当該装置は、
端末が送信した端末バンド指示情報を取得するために用いられる取得モジュール４０５と、
第１バンドセットと第２バンドセットによって当該ネットワーク側機器と当該端末の両方によりサッポートされるアップリンク周波数範囲を特定するために用いられる第２特定モジュール４０６と、
当該ネットワーク側機器と当該端末の両方によりサポートされるアップリンク周波数範囲において第２アップリンク周波数範囲または第２アップリンクキャリアを特定するために用いられる第３特定モジュール４０７と、をさらに備え、
そのうち、当該端末バンド指示情報は、第２バンドセットを含み、当該２バンドセットは、当該端末によってサッポートされる少なくとも一つの第２動作バンドを含み、当該第２動作バンドは、少なくとも一つのアップリンク周波数範囲と少なくとも一つのダウンリンク周波数範囲を含む。
【０１２０】
好ましくは、当該取得モジュール４０５は、当該端末が当該第１アップリンク周波数範囲または当該第１アップリンクキャリアにおいて送信した端末バンド指示情報を受信する、または、ネットワーク管理デバイスから当該端末バンド指示情報を取得するために用いられる。
【０１２１】
好ましくは、当該取得モジュール４０５は、さらに、当該端末によってサッポートされるアップリンク周波数範囲に対応する電力レベルを受信するために用いられ、そのうち、当該電力レベルは、当該端末が自体にサッポートされるアップリンク周波数範囲での最大送信電力を表し、
当該第３特定モジュール４０７は、当該端末が当該目的ダウンリンク周波数範囲においてダウンリンク参照信号またはダウンリンク同期信号を受信する第１受信電力を取得し、当該電力レベルによって、当該ネットワーク側機器と当該端末の両方によりサポートされるアップリンク周波数範囲に対応するアップリンクカバレッジ受信スレッショルド電力を取得し、且つ、当該第１受信電力と当該アップリンクカバレッジ受信スレッショルド電力によって、当該第２アップリンク周波数範囲または第２アップリンクキャリアを特定するために用いられ、そのうち、当該アップリンクカバレッジ受信スレッショルド電力は、当該ネットワーク側機器と当該端末の両方によりサポートされるアップリンク周波数範囲に対応するアップリンクカバレッジ範囲を表す。
【０１２２】
好ましくは、当該第３特定モジュール４０７は、当該ランダムアクセスリクエストから当該第１受信電力を取得する、または、当該端末によって報告された当該第１受信電力を受信するために用いられる。
【０１２３】
好ましくは、当該第３特定モジュール４０７は、当該第１受信電力が当該アップリンクカバレッジ受信スレッショルド電力のうちの第１アップリンクカバレッジ受信スレッショルド電力よりも大きい場合に、当該第１アップリンクカバレッジ受信電力閾値に対応するアップリンク周波数範囲が当該第２アップリンク周波数範囲または第２アップリンクギャリアであることを決定するために用いられる。
【０１２４】
好ましくは、当該第３特定モジュール４０７は、当該第１アップリンクカバレッジ受信スレッショルド電力が複数個である場合に、スレッショルド電力が最高である第１アップリンクカバレッジ受信スレッショルド電力に対応するアップリンク周波数範囲が当該第２アップリンク周波数範囲であることを特定するために用いられる。
【０１２５】
好ましくは、図８に示すように、当該装置は、
当該第２アップリンク周波数範囲または第２アップリンクキャリアの受信品質によって、当該端末のために第３アップリンク周波数範囲または第３アップリンクキャリアを選択するか否かを決定する判定モジュール４０８と、
当該端末のために第３アップリンク周波数範囲または第３アップリンクキャリアを選択することを決定した場合に、当該ネットワーク側機器と当該端末の両方によりサポートされるアップリンク周波数範囲における当該第２アップリンク周波数範囲以外のその他のアップリンク周波数範囲である候補アップリンク周波数範囲を特定するために用いられる第４特定モジュール４０９と、
当該アップリンクカバレッジ受信スレッショルド電力と当該第１受信電力によって、当該候補アップリンク周波数範囲において当該第３アップリンク周波数範囲または第３アップリンクキャリアを特定するために用いられる第５特定モジュール４１０と、をさらに備える。
【０１２６】
好ましくは、当該判定モジュール４０８は、当該端末が当該第２アップリンク周波数範囲または第２アップリンクキャリアにおいてデータを伝送するビット誤り率またはブロック誤り率が第１プリセット閾値の以上である場合に、当該端末のために第３アップリンク周波数範囲または第３アップリンクキャリアを選択することを決定するために用いられる。
【０１２７】
好ましくは、当該判定モジュール４０８は、当該端末が当該第２アップリンク周波数範囲または第２アップリンクキャリアにおいて送信したアップリンク参照信号の第２受信電力が第２プリセット閾値の以下である場合に、当該端末のために第３アップリンク周波数範囲または第３アップリンクキャリアを選択することを決定するために用いられる。
【０１２８】
好ましくは、当該判定モジュール４０８は、当該第１受信電力が当該第２アップリンク周波数範囲または第２アップリンクキャリアが選択した対応するアップリンクカバレッジ受信スレッショルド電力よりも小さい場合に、当該端末のために第３アップリンク周波数範囲または第３アップリンクキャリアを選択することを決定するために用いられる。
【０１２９】
好ましくは、当該第５特定モジュール４１０は、当該アップリンクカバレッジ受信スレッショルド電力において当該候補アップリンク周波数範囲に対応する候補アップリンクカバレッジ受信スレッショルド電力を特定し、当該第１受信電力が当該候補アップリンクカバレッジ受信スレッショルド電力における第２アップリンクカバレッジ受信スレッショルド電力の以上である場合に、当該第２アップリンクカバレッジ受信スレッショルド電力に対応する候補アップリンク周波数範囲が当該第３アップリンク周波数範囲または第３アップリンクキャリアであることを特定するために用いられる。
【０１３０】
好ましくは、当該第５特定モジュール４１０は、当該第２アップリンクカバレッジ受信電力閾値が複数個である場合に、最高である第２アップリンクカバレッジ受信スレッショルド電力に対応するアップリンク周波数範囲が当該第３アップリンク周波数範囲または第３アップリンクキャリアであることを特定するために用いられる。
【０１３１】
好ましくは、当該第３特定モジュール４０７は、以下のステップで当該ネットワーク側機器と当該端末の両方によりサポートされるアップリンク周波数範囲に対応するアップリンクカバレッジ受信スレッショルド電力を取得するために用いられ、
当該ネットワーク側機器が当該目的ダウンリンクバンドにおいて当該ダウンリンク参照信号を送信する第１送信電力、および当該端末が各々の当該ネットワーク側機器と当該端末の両方によりサポートされるアップリンク周波数範囲においてアップリンクデータを送信する時の、当該ネットワーク側機器に対応する最低受信電力を取得するステップ、
当該端末と当該ネットワーク側機器が各々の当該ネットワーク側機器と当該端末の両方によりサポートされるアップリンク周波数範囲においてのアップリンク経路損失値と、当該端末と当該ネットワーク側機器が当該目的ダウンリンク周波数範囲においてのダウンリンク経路損失値との間の損失差分値を取得するステップ、そのうち、当該アップリンク経路損失値と当該ダウンリンク経路損失値は、当該端末が同じ地理的位置で得られた経路損失値であり、及び
当該第１受信電力、当該最低受信電力、当該損失差分値、及び当該電力レベルに基づいて、以下の公式で各々のネットワーク側機器と端末の両方によりサポートされるアップリンク周波数範囲に対応するアップリンクカバレッジ受信スレッショルド電力を得るステップであり、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は当該第１送信電力であり、ＰＬｄｅｌｔａは、当該端末と当該ネットワーク側機器が第i個のアップリンク周波数範囲においてのアップリンク経路損失値と、当該端末と当該ネットワーク側機器が当該目的ダウンリンクバンドにおいてのダウンリンク経路損失値との間の損失差分値であり、ＰＲＸ_ｉは、当該ネットワーク側機器と当該端末の両方によりサポートされる第i個のアップリンク周波数範囲においてアップリンクデータを送信する時の、当該ネットワーク側機器に対応する最低受信電力であり、ＰＵＬ_ｉは、当該第i個のアップリンク周波数範囲の電力レベルに対応する最大送信電力である。
【０１３２】
上記の装置によれば、ネットワーク側機器は、自体がサポートする動作バンドを端末に同報通信することができ、従来技術におけるマスタサービスネットワーク側機器およびサブサービスネットワーク側機器に対する配置を回避し、配置に必要な時間を節約して、データ伝送の遅延を低減してデータの伝送効率を向上することができる。
【０１３３】
図９は、本発明の実施例に提供される一種のランダムアクセス装置に係る。図９に示すように、当該装置は端末に適用され、且つ、
ネットワーク側機器によって同報通信される、ネットワーク側機器によってサポートされ且つ少なくとも一つのアップリンク周波数範囲と少なくとも一つのダウンリンク周波数範囲を有する少なくとも一つの第１動作バンドを含む第１バンドセットを受信するために用いられる受信モジュール９０１と、
第１バンドセットと、当該端末によってサポートされ且つ少なくとも一つのアップリンク周波数範囲と少なくとも一つのダウンリンク周波数範囲を有する少なくとも一つの第２動作バンドを含む第２バンドセットとによって、当該ネットワーク側機器にアクセスするか否かを決定するために用いられるアクセス判定モジュール９０２と、を備える。
【０１３４】
好ましくは、当該受信モジュール９０１は、当該ネットワーク側機器が目的ダウンリンク周波数範囲において同報通信した第１バンド指示メッセージを受信するために用いられる。
【０１３５】
好ましくは、当該目的ダウンリンク周波数範囲は、ネットワーク管理システムまたは当該ネットワーク側機器が第１バンドセットにおける各ダウンリンク周波数範囲でのキャリアのネットワークカバレッジの能力によって配置するものであり、及び／又は、当該目的ダウンリンク周波数範囲は、当該ネットワーク管理システムまたは当該ネットワーク側機器が第１バンドセットにおける各ダウンリンク周波数範囲でのキャリアの負荷状態によって配置するものである。
【０１３６】
好ましくは、当該アクセス判定モジュール９０２は、当該ネットワーク側機器によってサポートされる第１動作バンドと当該端末によってサポートされる第２動作バンドとの間には同一の動作バンドがあるか否かを決定するために用いられ、同一の動作バンドがあることを決定した場合に、当該ネットワーク側機器にアクセスできることを決定し、同一の動作バンドが無いことを決定した場合に、当該ネットワーク側機器にアクセスできないことを決定する。
【０１３７】
好ましくは、当該アクセス判定モジュール９０２は、当該ネットワーク側機器によってサポートされる第１動作バンドと当該端末によってサポートされる第２動作バンドとの間には同じアップリンク周波数範囲と同じダウンリンク周波数範囲がある場合に、同一の動作バンドがあることを決定するために用いられる。
【０１３８】
好ましくは、図１０に示すように、当該装置は、
当該ネットワーク側機器または当該端末によって特定された第１アップリンク周波数範囲または第１アップリンクキャリアを特定するために用いられる第１処理モジュール９０３と、
当該第１アップリンク周波数範囲または当該第１アップリンクキャリアにおいて当該ネットワーク側機器にランダムアクセスリクエストを送信するために用いられるアクセスリクエスト送信モジュール９０４と、をさらに備える。
【０１３９】
好ましくは、当該第１処理モジュール９０３は、当該ネットワーク側機器によって同報通信される、当該第１アップリンク周波数範囲または第１アップリンクキャリアを指示するアップリンクバンド指示メッセージを受信し、且つ、当該アップリンクバンド指示メッセージによって当該第１アップリンク周波数範囲または第１アップリンクキャリアを特定するために用いられる。
【０１４０】
好ましくは、当該第１処理モジュール９０３は、当該端末によってサッポートされる第２バンドセットを取得し、当該目的ダウンリンク周波数範囲においてダウンリンク参照信号またはダウンリンク同期信号を受信する第１受信電力を取得し、当該第２バンドセットと当該第１受信電力によって当該第１バンドセットから当該第１アップリンク周波数範囲または第１アップリンクキャリアを特定するために用いられる。
【０１４１】
好ましくは、図１１に示すように、当該装置は、当該第１アップリンク周波数範囲または第１アップリンクキャリアにおいて当該ネットワーク側機器に端末バンド指示情報および電力レベルを送信するために用いられる指示情報送信モジュール９０５と、をさらに備える。
そのうち、当該端末バンド指示情報は、当該第２バンドセットを含み、当該電力レベルは、当該端末が自体にサポートされるアップリンク周波数範囲での最大送信電力を表す。
【０１４２】
好ましくは、図１２に示すように、当該装置は、
ネットワーク側機器によって送信される前記第３アップリンク周波数範囲または前記第３アップリンクキャリアに対応するリソース配置情報を受信するために用いられる配置情報受信モジュール９０６と、
当該リソース配置情報によって、当該第３アップリンク周波数範囲または第３アップリンクキャリアにおいてアップリンクデータを送信するために用いられるデータ送信モジュール９０７とを、さらに備え、
そのうち、当該リソース配置情報は、当該ネットワーク側機器によって特定された、アップリンクデータを送信するための第３アップリンク周波数範囲または第３アップリンクキャリアを含む。
【０１４３】
上記の装置によれば、端末は、ネットワーク側機器によって同報通信されたネットワーク側機器がサポートする動作バンド、および端末自体がサポートする動作バンドによって、ランダムアクセスするか否かを決定することができ、従来技術におけるマスタサービスネットワーク側機器およびサブサービスネットワーク側機器に対する配置を回避し、配置に必要な時間を節約して、データ伝送の遅延を低減してランダムアクセスの効率を向上することができる。
【０１４４】
図１３は、本発明の一実施例に提供される一種の周波数選択またはランダムアクセスするための装置のブロック図である。図１３に示すように、当該装置は、ネットワーク側機器または端末に適用されることができ、当該装置１３００は、プロセッサー１３０１、メモリー１３０２、マルチメディアユニット１３０３、入出力（Ｉ/Ｏ）インターフェース１３０４、及び通信ユニット１３０５を備えることができる。
【０１４５】
そのうち、プロセッサー１３０１は、当該装置１３００の全体の操作を制御して、上記の周波数選択またはランダムアクセスするための方法の全てまたは一部のステップを達成するために用いられる。メモリー１３０２は、各種類のデータを記憶して当該装置１３００における操作をサッポートするために用いられ、これらのデータは、当該装置１３００において操作される如何なるアプリケーションまたは方法の命令、及びアプリケーションに係るデータ、例えば連絡者のデータ、授受情報、ピクチャ、オーディオ、ビデオなどを含んでもよい。
【０１４６】
当該メモリー１３０２は、如何なるタイプの揮発性または不揮発性の記憶端末デバイス或いはそれらの組合せによって構成されることができ、例えば、スタティックメモリー（Ｓｔａｔｉｃ  Ｒａｎｄｏｍ  Ａｃｃｅｓｓ  Ｍｅｍｏｒｙ、「ＳＲＡＭ」と略称する）、電気的消去可能プログラマブル読み取り専用メモリー(Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、「ＥＥＰＲＯＭ」と略称する）、消去可能プログラマブル読み取り専用メモリー(Ｅｒａｓａｂｌｅ  Ｐｒｏｇｒａｍｍａｂｌｅ  Ｒｅａｄ−Ｏｎｌｙ  Ｍｅｍｏｒｙ、「ＥＰＲＯＭ」と略称する）、プログラマブル読み取り専用メモリー(Ｐｒｏｇｒａｍｍａｂｌｅ  Ｒｅａｄ−Ｏｎｌｙ  Ｍｅｍｏｒｙ、「ＰＲＯＭ」と略称する）、読み取り専用メモリー(Ｒｅａｄ−Ｏｎｌｙ  Ｍｅｍｏｒｙ、「ＲＯＭ」と略称する）、磁気メモリー、フラッシュメモリー、ディスク、またはＣＤ。
マルチメディアユニット１３０３は、スクリーンとオーディオユニットを含むことができる。そのうち、スクリーンは、タッチスクリーンであってもよく、オーディオユニットは、音響信号を出力および／または入力するために用いられる。例えば、オーディオユニットは、外部の音響信号を受信するための一つのマイクを備えることができ、受信された音響信号は、さらにメモリー１３０２に記憶され、または通信ユニット１３０５によって送信されてもよい。オーディオユニットは、音響信号を出力するための少なくとも一つのスピーカーをさらに備える。
Ｉ/Ｏインターフェース１３０４は、プロセッサー１３０１とその他のインターフェースモジュールとの間にインターフェースを提供し、上記のその他のインターフェースモジュールは、キーボード、マウス、ボタンなどであってもよく、これらのボタンは、仮想ボタンまたは物理ボタンであってもよい。通信ユニット１３０５は、当該装置１３００がその他の端末装置と有線通信または無線通信するために用いられる。無線通信としては、例えば、Ｗｉ−Ｆｉ、ブルートゥース、近距離無線通信（Ｎｅａｒ  Ｆｉｅｌｄ  Ｃｏｍｍｕｎｉｃａｔｉｏｎ、「ＮＦＣ」と略称する）、２Ｇ、３Ｇ、４Ｇ、またはそれらのうちの一種または多種の組合せであるので、対応する当該通信ユニット１３０５は、Ｗｉ−Ｆｉモジュール、ブルートゥースモジュール、ＮＦＣモジュールを含むことができる。
【０１４７】
一つの例示的な実施例において、装置１３００は、一つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、「ＡＳＩＣ」と略称する）、デジタルシグナルプロセッサ（Ｄｉｇｉｔａｌ  Ｓｉｇｎａｌ  Ｐｒｏｃｅｓｓｏｒ、「ＤＳＰ」と略称する）、デジタル信号処理装置（Ｄｉｇｉｔａｌ  Ｓｉｇｎａｌ  Ｐｒｏｃｅｓｓｉｎｇ  Ｄｅｖｉｃｅ、「ＤＳＰＤ」と略称する）、プログラマブルロジックデバイス（Ｐｒｏｇｒａｍｍａｂｌｅ  Ｌｏｇｉｃ  Ｄｅｖｉｃｅ、「ＰＬＤ」と略称する）、フィールドプログラマブルスレッショルドアレイ（Ｆｉｅｌｄ  Ｐｒｏｇｒａｍｍａｂｌｅ  Ｇａｔｅ  Ａｒｒａｙ、「ＦＰＧＡ」と略称する）、コントローラ、マイクロコントローラ、マイクロプロセッサまたはその他の電子部品によって実現されることができ、上記の周波数選択方法またはランダムアクセス方法を実行するために用いられる。
【０１４８】
本発明の実施例は、さらに一種の非一過性コンピュータ可読記憶媒体１を提供する。当該非一過性コンピュータ可読記憶媒体１は、一種の周波数選択方法を実行するための一つまたは複数のプログラムを含み、当該方法では、ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定することと、端末が前記第１バンドセットによって、前記ネットワーク側機器がサポートする第１動作バンドに含まれる前記少なくとも一つのアップリンク周波数範囲と前記少なくとも一つのダウンリンク周波数範囲を特定するために、前記第１バンドセットを同報通信することと、が含まれる。
【０１４９】
好ましくは、前記第１バンドセットは、前記ネットワーク側機器によってサポートされるアップリンク周波数範囲を指示する第１バンド識別子と、前記ネットワーク側機器によってサポートされるダウンリンク周波数範囲を指示する第２バンド識別子と、を含む。
【０１５０】
好ましくは、前記の第１バンドセットを同報通信することは、前記第１バンドセットにおいて目的ダウンリンク周波数範囲を特定することと、前記目的ダウンリンク周波数範囲において前記第１バンドセットを同報通信することと、を含む。
【０１５１】
好ましくは、前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、前記目的ダウンリンク周波数範囲は、前記ネットワーク管理システムまたは前記ネットワーク側機器が第１バンドセットにおける各ダウンリンク周波数範囲でのキャリアの負荷状態によって配置するものである。
【０１５２】
好ましくは、前記方法では、前記の第１バンドセットを同報通信することの後ろに、さらに、前記端末が前記第１アップリンク周波数範囲または第１アップリンクキャリアにおいて送信したランダムアクセスリクエストメッセージを受信することを含み、前記第１アップリンク周波数範囲または前記第１アップリンクキャリアは、前記ネットワーク側機器または前記端末によって特定されたものである。
【０１５３】
好ましくは、前記方法では、前記ネットワーク側機器によって前記第１アップリンク周波数範囲または第１アップリンクキャリアを特定する場合に、前記端末が前記第１アップリンク周波数範囲または第１アップリンクキャリアにおいて送信したランダムアクセスリクエストメッセージを受信する前に、さらに、前記ネットワーク側機器によってサポートされる少なくとも一つのアップリンク周波数範囲から第１アップリンク周波数範囲または前記第１アップリンクキャリアを特定することと、アップリンクバンド指示メッセージを同報通信することと、を含み、そのうち、前記アップリンクバンド指示メッセージは、前記端末が前記アップリンクバンド指示メッセージによって前記第１アップリンク周波数範囲または前記第１アップリンクキャリアを特定するように、前記第１アップリンク周波数範囲を指示する、または、前記第１アップリンクキャリアの中心周波数および帯域幅を指示するために用いられる。
【０１５４】
好ましくは、前記方法では、さらに、
端末によって発送された、前記端末によってサポートされ且つ少なくとも一つのアップリンク周波数範囲と少なくとも一つのダウンリンク周波数範囲を有する少なくとも一つの第２動作バンドを含む第２バンドセットを含む端末バンド指示情報を取得することと、
前記第1バンドセットと前記第２バンドセットによって、前記ネットワーク側機器と前記端末の両方によりサポートされるアップリンク周波数範囲を特定することと、
前記ネットワーク側機器と前記端末の両方によりサポートされるアップリンク周波数範囲において第２アップリンク周波数範囲または第２アップリンクキャリアを特定することと、を含む。
【０１５５】
好ましくは、前記の端末バンド指示情報を取得することは、前記端末が前記第１アップリンク周波数範囲または前記第１アップリンクキャリアにおいて送信した端末バンド指示情報を受信すること、または、ネットワーク管理デバイスから前記端末バンド指示情報を取得することを含む。
【０１５６】
好ましくは、前記の前記ネットワーク側機器と前記端末の両方によりサポートされるアップリンク周波数範囲において第２アップリンク周波数範囲または第２アップリンクキャリアを特定することは、
前記端末によってサッポートされるアップリンク周波数範囲に対応する、前記端末が自体にサッポートされるアップリンク周波数範囲での最大送信電力を表す電力レベルを受信することと、
前記端末が前記目的ダウンリンク周波数範囲においてダウンリンク参照信号またはダウンリンク同期信号を受信する第１受信電力を取得することと、
前記電力レベルによって、前記ネットワーク側機器と前記端末の両方によりサポートされるアップリンク周波数範囲に対応するアップリンクカバレッジ受信スレッショルド電力を取得することと、
前記第１受信電力と前記アップリンクカバレッジ受信スレッショルド電力によって、前記第２アップリンク周波数範囲または第２アップリンクキャリアを特定することと、を含み、
そのうち、前記アップリンクカバレッジ受信スレッショルド電力は、前記ネットワーク側機器と前記端末の両方によりサポートされるアップリンク周波数範囲に対応するアップリンクカバレッジ範囲を表す。
【０１５７】
好ましくは、前記の前記端末が前記目的ダウンリンク周波数範囲においてダウンリンク参照信号またはダウンリンク同期信号を受信する第１受信電力を取得することは、前記ランダムアクセスリクエストから前記第１受信電力を取得すること、または、前記端末によって報告された前記第１受信電力を受信することを含む。
【０１５８】
好ましくは、前記の前記第１受信電力と前記アップリンクカバレッジ受信電力閾値によって前記第２アップリンク周波数範囲または第２アップリンクキャリアを特定することは、前記第１受信電力が前記アップリンクカバレッジ受信スレッショルド電力のうちの第１アップリンクカバレッジ受信スレッショルド電力よりも大きいと、前記第１アップリンクカバレッジ受信電力閾値に対応するアップリンク周波数範囲が前記第２アップリンク周波数範囲または第２アップリンクキャリアであることをを特定することを含む。
【０１５９】
好ましくは、前記の前記第１アップリンクカバレッジ受信電力閾値に対応するアップリンク周波数範囲が前記第２アップリンク周波数範囲であることをを特定することは、前記第１アップリンクカバレッジ受信スレッショルド電力が複数個である場合に、スレッショルド電力が最高である第１アップリンクカバレッジ受信スレッショルド電力に対応するアップリンク周波数範囲が前記第２アップリンク周波数範囲であることを特定することを含む。
【０１６０】
好ましくは、前記方法では、前記第２アップリンク周波数範囲または第２アップリンクキャリアを特定した後に、さらに、
前記第２アップリンク周波数範囲または第２アップリンクキャリアの受信品質によって、前記端末のために第３アップリンク周波数範囲または第３アップリンクキャリアを選択するか否かを決定することと、
前記端末のために第３アップリンク周波数範囲または第３アップリンクキャリアを選択することを決定した場合に、前記ネットワーク側機器と前記端末の両方によりサポートされるアップリンク周波数範囲における前記第２アップリンク周波数範囲以外のその他のアップリンク周波数範囲である候補アップリンク周波数範囲を特定することと、
前記アップリンクカバレッジ受信スレッショルド電力と前記第１受信電力によって、前記候補アップリンク周波数範囲において前記第３アップリンク周波数範囲または第３アップリンクキャリアを特定することと、を含む。
【０１６１】
好ましくは、前記の前記端末のために第３アップリンク周波数範囲または第３アップリンクキャリアを選択するか否かを決定することは、前記端末が前記第２アップリンク周波数範囲または第２アップリンクキャリアにおいてデータを伝送するビット誤り率またはブロック誤り率が第１プリセット閾値の以上である場合に、前記端末のために第３アップリンク周波数範囲または第３アップリンクキャリアを選択することを決定することを含む。
【０１６２】
好ましくは、前記の前記端末のために第３アップリンク周波数範囲または第３アップリンクキャリアを選択するか否かを決定することは、前記端末が前記第２アップリンク周波数範囲または第２アップリンクキャリアにおいて送信したアップリンク参照信号の第２受信電力が第２プリセット閾値の以下である場合に、前記端末のために第３アップリンク周波数範囲または第３アップリンクキャリアを選択することを決定することを含む。
【０１６３】
好ましくは、前記の前記端末のために第３アップリンク周波数範囲または第３アップリンクキャリアを選択するか否かを決定することは、前記第１受信電力が前記第２アップリンク周波数範囲または前記第２アップリンクキャリアが選択した対応するアップリンクカバレッジ受信スレッショルド電力よりも小さい場合に、前記端末のために第３アップリンク周波数範囲または第３アップリンクキャリアを選択することを決定することを含む。
【０１６４】
好ましくは、前記の前記アップリンクカバレッジ受信スレッショルド電力と前記第１受信電力によって、前記候補アップリンク周波数範囲において前記第３アップリンク周波数範囲または第３アップリンクキャリアを特定することは、前記アップリンクカバレッジ受信スレッショルド電力において前記候補アップリンク周波数範囲に対応する候補アップリンクカバレッジ受信スレッショルド電力を特定することと、前記第１受信電力が前記候補アップリンクカバレッジ受信スレッショルド電力における第２アップリンクカバレッジ受信スレッショルド電力の以上である場合に、前記第２アップリンクカバレッジ受信スレッショルド電力に対応する候補アップリンク周波数範囲が前記第３アップリンク周波数範囲または第３アップリンクキャリアであることを特定することを含む。
【０１６５】
好ましくは、前記第２アップリンクカバレッジ受信電力閾値が複数個である場合に、最高である第２アップリンクカバレッジ受信スレッショルド電力に対応するアップリンク周波数範囲が前記第３アップリンク周波数範囲または第３アップリンクキャリアであることを特定する。
【０１６６】
好ましくは、前記の前記電力レベルによって前記ネットワーク側機器と前記端末の両方によりサポートされるアップリンク周波数範囲に対応するアップリンクカバレッジ受信スレッショルド電力を取得することは、
前記ネットワーク側機器が前記目的ダウンリンクバンドにおいて前記ダウンリンク参照信号を送信する第１送信電力、および前記端末が各々の前記ネットワーク側機器と前記端末の両方によりサポートされるアップリンク周波数範囲においてアップリンクデータを送信する時の、前記ネットワーク側機器に対応する最低受信電力を取得することと、
前記端末と前記ネットワーク側機器が各々の前記ネットワーク側機器と前記端末の両方によりサポートされるアップリンク周波数範囲においてのアップリンク経路損失値と、前記端末と前記ネットワーク側機器が前記目的ダウンリンク周波数範囲においてのダウンリンク経路損失値との間の損失差分値を取得することと、そのうち、前記アップリンク経路損失値と前記ダウンリンク経路損失値は、前記端末が同じ地理的位置で得られた経路損失値であり、及び
前記第１受信電力、前記最低受信電力、前記損失差分値、及び前記電力レベルに基づいて、以下の公式で各々のネットワーク側機器と端末の両方によりサポートされるアップリンク周波数範囲に対応するアップリンクカバレッジ受信スレッショルド電力を得ることと、を含み、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は前記第１送信電力であり、ＰＬｄｅｌｔａは、前記端末と前記ネットワーク側機器が第i個のアップリンク周波数範囲においてのアップリンク経路損失値と、前記端末と前記ネットワーク側機器が前記目的ダウンリンクバンドにおいてのダウンリンク経路損失値との間の損失差分値であり、ＰＲＸ_ｉは、前記ネットワーク側機器と前記端末の両方によりサポートされる第i個のアップリンク周波数範囲においてアップリンクデータを送信する時の、前記ネットワーク側機器に対応する最低受信電力であり、ＰＵＬ_ｉは、前記第i個のアップリンク周波数範囲の電力レベルに対応する最大送信電力である。
【０１６７】
本発明の実施例は、さらに一種のネットワーク側機器２を提供する。当該ネットワーク側機器２は、上記の非一過性コンピュータ可読記憶媒体１と、上記の非一過性コンピュータ可読記憶媒体１におけるプログラムを実行するための一つまたは複数のプロセッサーと、を備える。
【０１６８】
本発明の実施例は、さらに一種の非一過性コンピュータ可読記憶媒体３を提供する。当該非一過性コンピュータ可読記憶媒体３には、一種のランダムアクセ方法を実行するための一つまたは複数のプログラムが含まれ、当該方法では、ネットワーク側機器によって同報通信される第１バンドセットを受信することと、前記第１バンドセットと第２バンドセットによって、前記ネットワーク側機器にアクセスするか否かを決定することと、を含み、そのうち、前記第１バンドセットは、前記ネットワーク側機器によってサポートされる少なくとも一つの第１動作バンドを含み、前記第１動作バンドは、少なくとも一つのアップリンク周波数範囲と少なくとも一つのダウンリンク周波数範囲を含み、前記第２バンドセットは、前記端末によってサポートされる少なくとも一つの第２動作バンドを含み、前記第２動作バンドは、少なくとも一つのアップリンク周波数範囲と少なくとも一つのダウンリンク周波数範囲を含む。
【０１６９】
好ましくは、前記の前記ネットワーク側機器によって同報通信されるアップリンクバンド指示メッセージを受信することは、前記ネットワーク側機器が目的ダウンリンク周波数範囲において同報通信した第１バンド指示メッセージを受信することを含む。
【０１７０】
好ましくは、前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、前記目的ダウンリンク周波数範囲は、前記ネットワーク管理システムまたは前記ネットワーク側機器が第１バンドセットにおける各ダウンリンク周波数範囲でのキャリアの負荷状態によって配置するものである。
【０１７１】
好ましくは、前記の前記第１バンドセットと第２バンドセットによって前記ネットワーク側機器にアクセスするか否かを決定することは、前記ネットワーク側機器によってサポートされる第１動作バンドと前記端末によってサポートされる第２動作バンドとの間には同一の動作バンドがあるか否かを決定することを含み、同一の動作バンドがあることを決定した場合に、前記ネットワーク側機器にアクセスできることを決定し、同一の動作バンドが無いことを決定した場合に、前記ネットワーク側機器にアクセスできないことを決定する。
【０１７２】
好ましくは、前記の前記ネットワーク側機器によってサポートされる第１動作バンドと前記端末によってサポートされる第２動作バンドとの間には同一の動作バンドがあるか否かを決定することは、前記ネットワーク側機器によってサポートされる第１動作バンドと前記端末によってサポートされる第２動作バンドとの間には同じアップリンク周波数範囲と同じダウンリンク周波数範囲がある場合に、同一の動作バンドがあることを決定することを含む。
【０１７３】
好ましくは、前記方法では、前記ネットワーク側機器にアクセスすることを決定した時に、さらに、前記ネットワーク側機器または前記端末によって特定された第１アップリンク周波数範囲または第１アップリンクキャリアを特定することと、前記第１アップリンク周波数範囲または前記第１アップリンクキャリアにおいて前記ネットワーク側機器にランダムアクセスリクエストを送信することを含む。
【０１７４】
好ましくは、前記第１アップリンク周波数範囲または前記第１アップリンクキャリアが前記ネットワーク側機器によって特定された場合に、前記の第１アップリンク周波数範囲または第１アップリンクキャリアを特定することは、前記ネットワーク側機器によって同報通信される、前記第１アップリンク周波数範囲または第１アップリンクキャリアを指示するアップリンクバンド指示メッセージを受信することと、前記アップリンクバンド指示メッセージによって前記第１アップリンク周波数範囲または前記第１アップリンクキャリアを特定することと、を含む。
【０１７５】
好ましくは、前記第１アップリンク周波数範囲または前記第１アップリンクキャリアが前記端末によって特定された場合に、前記の第１アップリンク周波数範囲または第１アップリンクキャリアを特定することは、前記端末によってサッポートされる第２バンドセットを取得することと、前記目的ダウンリンク周波数範囲においてダウンリンク参照信号またはダウンリンク同期信号を受信する第１受信電力を取得することと、前記第２バンドセットと前記第１受信電力によって前記第１バンドセットから前記第１アップリンク周波数範囲または第１アップリンクキャリアを特定することと、を含む。
【０１７６】
好ましくは、前記方法では、第１アップリンク周波数範囲または第１アップリンクキャリアを特定した後に、さらに、前記第１アップリンク周波数範囲または第１アップリンクキャリアにおいて前記ネットワーク側機器に、前記第２バンドセットを含む端末バンド指示情報と、前記端末が自体にサッポートされるアップリンク周波数範囲での最大送信電力を表す電力レベルとを送信することを含む。
【０１７７】
好ましくは、前記方法では、前記第１アップリンク周波数範囲において前記ネットワーク側機器に端末バンド指示情報を送信した後に、さらに、ネットワーク側機器によって送信される前記第３アップリンク周波数範囲または前記第３アップリンクキャリアに対応するリソース配置情報を受信することと、前記リソース配置情報によって、前記第３アップリンク周波数範囲または第３アップリンクキャリアにおいて前記アップリンクデータを送信することと、を含み、そのうち、前記リソース配置情報は、前記ネットワーク側機器によって特定される、アップリンクデータを送信するための第３アップリンク周波数範囲または第３アップリンクキャリアを含む。
【０１７８】
本発明の実施例は、さらに一種の端末４を提供する。当該端末４は、上記の非一過性コンピュータ可読記憶媒体３と、上記の非一過性コンピュータ可読記憶媒体３におけるプログラムを実行するための一つまたは複数のプロセッサーと、を備える。
【０１７９】
以上では、図面を結合して本発明の好ましい実施形態を詳細に記述しましたが、本発明は、上記実施形態における具体的な細部に限定されていなく、本発明の技術的構想範囲内に本発明の技術方案に対して多種の簡単な変形を行うことができ、これらの簡単な変形は、いずれも本発明の保護範囲に含まれるべきである。
【０１８０】
なお、上記の具体的な実施形態において説明した各々の具体的な技術特徴は、矛盾がない場合、如何なる適切な方式で組み合わせることができ、不要な重複を避けるために、本願では各種の使用可能な組合せ方式に対して別に説明しない。
【０１８１】
また、本発明の各種の異なる実施形態同士は、互いに任意に組み合わせることもでき、本発明の精神を違反しなければ、同様に本発明の開示内容と見なされるべきである。
【図１】
2020517143.tif 000003
【図２】
2020517143.tif 000004
【図３】
2020517143.tif 000005
【図４】
2020517143.tif 000006
【図５】
2020517143.tif 000007
【図６】
2020517143.tif 000008
【図７】
2020517143.tif 000009
【図８】
2020517143.tif 000010
【図９】
2020517143.tif 000011
【図１０】
2020517143.tif 000012
【図１１】
2020517143.tif 000013
【図１２】
2020517143.tif 000014
【図１３】
2020517143.tif 000015
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
ネットワーク側機器に適用され、
ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定することと、
端末が前記第１バンドセットによって前記ネットワーク側機器がサポートする前記第１動作バンドに含まれる少なくとも一つのアップリンク周波数範囲と前記少なくとも一つのダウンリンク周波数範囲を特定するように、前記第１バンドセットを同報通信することと、を含む
ことを特徴とする周波数選択方法。
【請求項２】
前記第１バンドセットは、第１バンド識別子と第２バンド識別子を含み、
前記第１バンド識別子は、前記ネットワーク側機器によってサポートされるアップリンク周波数範囲を指示し、
前記第２バンド識別子は、前記ネットワーク側機器によってサポートされるダウンリンク周波数範囲を指示する
ことを特徴とする請求項１に記載の周波数選択方法。
【請求項３】
前記の第１バンドセットを同報通信することは、
前記第１バンドセットにおいて目的ダウンリンク周波数範囲を特定することと、
前記目的ダウンリンク周波数範囲において前記第１バンドセットを同報通信することと、を含む
ことを特徴とする請求項１に記載の周波数選択方法。
【請求項４】
前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、
前記目的ダウンリンク周波数範囲は、前記ネットワーク管理システムまたは前記ネットワーク側機器が第１バンドセットにおける各ダウンリンク周波数範囲でのキャリアの負荷状態によって配置するものである
ことを特徴とする請求項３に記載の周波数選択方法。
【請求項５】
前記周波数選択方法では、前記の第１バンドセットを同報通信することの後ろに、さらに、
前記端末が第１アップリンク周波数範囲または第１アップリンクキャリアにおいて送信したランダムアクセスリクエストメッセージを受信することを含み、
前記第１アップリンク周波数範囲または前記第１アップリンクキャリアは、前記ネットワーク側機器または前記端末によって特定されたものである
ことを特徴とする請求項１に記載の周波数選択方法。
【請求項６】
前記第１アップリンク周波数範囲または第１アップリンクキャリアが前記ネットワーク側機器によって特定された場合に、
前記ネットワーク側機器によってサポートされる少なくとも一つのアップリンク周波数範囲から第１アップリンク周波数範囲または前記第１アップリンクキャリアを特定し、
アップリンクバンド指示メッセージを同報通信し、そのうち、前記アップリンクバンド指示メッセージは、前記端末が前記アップリンクバンド指示メッセージによって前記第１アップリンク周波数範囲または前記第１アップリンクキャリアを特定するように、前記第１アップリンク周波数範囲を指示する、または、前記第１アップリンクキャリアの中心周波数および帯域幅を指示するために用いられる
ことを特徴とする請求項５に記載の周波数選択方法。
【請求項７】
前記周波数選択方法では、さらに、
端末によって発送された、前記端末によってサポートされ且つ少なくとも一つのアップリンク周波数範囲と少なくとも一つのダウンリンク周波数範囲を有する少なくとも一つの第２動作バンドを含む第２バンドセットを含む端末バンド指示情報を取得することと、
前記第1バンドセットと前記第２バンドセットによって、前記ネットワーク側機器と前記端末の両方によりサポートされるアップリンク周波数範囲を特定することと、
前記ネットワーク側機器と前記端末の両方によりサポートされるアップリンク周波数範囲において第２アップリンク周波数範囲または第２アップリンクキャリアを特定することと、を含む
ことを特徴とする請求項６に記載の周波数選択方法。
【請求項８】
前記の端末バンド指示情報を取得することは、
前記端末が前記第１アップリンク周波数範囲または前記第１アップリンクキャリアにおいて送信した端末バンド指示情報を受信すること、または、
ネットワーク管理デバイスから前記端末バンド指示情報を取得することを含む
ことを特徴とする請求項７に記載の周波数選択方法である。
【請求項９】
前記の前記ネットワーク側機器と前記端末の両方によりサポートされるアップリンク周波数範囲において第２アップリンク周波数範囲または第２アップリンクキャリアを特定することは、
前記端末によってサッポートされるアップリンク周波数範囲に対応する、前記端末が自体にサッポートされるアップリンク周波数範囲での最大送信電力を表す電力レベルを受信することと、
前記端末が前記目的ダウンリンク周波数範囲においてダウンリンク参照信号またはダウンリンク同期信号を受信する第１受信電力を取得することと、
前記電力レベルによって、前記ネットワーク側機器と前記端末の両方によりサポートされるアップリンク周波数範囲に対応するアップリンクカバレッジ受信スレッショルド電力を取得することと、
前記第１受信電力と前記アップリンクカバレッジ受信スレッショルド電力によって、前記第２アップリンク周波数範囲または第２アップリンクキャリアを特定することと、を含み、
そのうち、前記アップリンクカバレッジ受信スレッショルド電力は、前記ネットワーク側機器と前記端末の両方によりサポートされるアップリンク周波数範囲に対応するアップリンクカバレッジ範囲を表す
ことを特徴とする請求項７に記載の周波数選択方法。
【請求項１０】
前記の前記端末が前記目的ダウンリンク周波数範囲においてダウンリンク参照信号またはダウンリンク同期信号を受信する第１受信電力を取得することは、
前記ランダムアクセスリクエストから前記第１受信電力を取得すること、または、
前記端末によって報告された前記第１受信電力を受信することを含む
ことを特徴とする請求項９に記載の周波数選択方法。
【請求項１１】
前記の前記第１受信電力と前記アップリンクカバレッジ受信電力閾値によって前記第２アップリンク周波数範囲または第２アップリンクキャリアを特定することは、
前記第１受信電力が前記アップリンクカバレッジ受信スレッショルド電力のうちの第１アップリンクカバレッジ受信スレッショルド電力よりも大きいと、前記第１アップリンクカバレッジ受信電力閾値に対応するアップリンク周波数範囲が前記第２アップリンク周波数範囲または第２アップリンクキャリアであることをを特定することを含む
ことを特徴とする請求項９に記載の周波数選択方法。
【請求項１２】
前記の前記第１アップリンクカバレッジ受信電力閾値に対応するアップリンク周波数範囲が前記第２アップリンク周波数範囲であることをを特定することは、
前記第１アップリンクカバレッジ受信スレッショルド電力が複数個である場合に、スレッショルド電力が最高である第１アップリンクカバレッジ受信スレッショルド電力に対応するアップリンク周波数範囲が前記第２アップリンク周波数範囲であることを特定することを含む
ことを特徴とする請求項１１に記載の周波数選択方法。
【請求項１３】
前記周波数選択方法では、前記第２アップリンク周波数範囲または第２アップリンクキャリアを特定した後に、さらに、
前記第２アップリンク周波数範囲または第２アップリンクキャリアの受信品質によって、前記端末のために第３アップリンク周波数範囲または第３アップリンクキャリアを選択するか否かを決定することと、
前記端末のために第３アップリンク周波数範囲または第３アップリンクキャリアを選択することを決定した場合に、前記ネットワーク側機器と前記端末の両方によりサポートされるアップリンク周波数範囲における前記第２アップリンク周波数範囲以外のその他のアップリンク周波数範囲である候補アップリンク周波数範囲を特定することと、
前記アップリンクカバレッジ受信スレッショルド電力と前記第１受信電力によって、前記候補アップリンク周波数範囲において前記第３アップリンク周波数範囲または第３アップリンクキャリアを特定することと、を含む
ことを特徴とする請求項９に記載の周波数選択方法。
【請求項１４】
前記の前記端末のために第３アップリンク周波数範囲または第３アップリンクキャリアを選択するか否かを決定することは、
前記端末が前記第２アップリンク周波数範囲または第２アップリンクキャリアにおいてデータを伝送するビット誤り率またはブロック誤り率が第１プリセット閾値の以上である場合に、前記端末のために第３アップリンク周波数範囲または第３アップリンクキャリアを選択することを決定することを含む
ことを特徴とする請求項１３に記載の周波数選択方法。
【請求項１５】
前記の前記端末のために第３アップリンク周波数範囲または第３アップリンクキャリアを選択するか否かを決定することは、
前記端末が前記第２アップリンク周波数範囲または第２アップリンクキャリアにおいて送信したアップリンク参照信号の第２受信電力が第２プリセット閾値の以下である場合に、前記端末のために第３アップリンク周波数範囲または第３アップリンクキャリアを選択することを決定することを含む
ことを特徴とする請求項１３に記載の周波数選択方法。
【請求項１６】
前記の前記端末のために第３アップリンク周波数範囲または第３アップリンクキャリアを選択するか否かを決定することは、
前記第１受信電力が前記第２アップリンク周波数範囲または前記第２アップリンクキャリアが選択した対応するアップリンクカバレッジ受信スレッショルド電力よりも小さい場合に、前記端末のために第３アップリンク周波数範囲または第３アップリンクキャリアを選択することを決定することを含む
ことを特徴とする請求項１３に記載の周波数選択方法。
【請求項１７】
前記の前記アップリンクカバレッジ受信スレッショルド電力と前記第１受信電力によって、前記候補アップリンク周波数範囲において前記第３アップリンク周波数範囲または第３アップリンクキャリアを特定することは、
前記アップリンクカバレッジ受信スレッショルド電力において前記候補アップリンク周波数範囲に対応する候補アップリンクカバレッジ受信スレッショルド電力を特定することと、
前記第１受信電力が前記候補アップリンクカバレッジ受信スレッショルド電力における第２アップリンクカバレッジ受信スレッショルド電力の以上である場合に、前記第２候補アップリンクカバレッジ受信スレッショルド電力に対応する候補アップリンク周波数範囲が前記第３アップリンク周波数範囲または第３アップリンクキャリアであることを特定することを含む
ことを特徴とする請求項１３に記載の周波数選択方法。
【請求項１８】
前記第２アップリンクカバレッジ受信電力閾値が複数個である場合に、最高である第２アップリンクカバレッジ受信スレッショルド電力に対応するアップリンク周波数範囲が前記第３アップリンク周波数範囲または第３アップリンクキャリアであることを特定する
ことを特徴とする請求項１７に記載の周波数選択方法。
【請求項１９】
前記の前記電力レベルによって前記ネットワーク側機器と前記端末の両方によりサポートされるアップリンク周波数範囲に対応するアップリンクカバレッジ受信スレッショルド電力を取得することは、
前記ネットワーク側機器が前記目的ダウンリンク周波数範囲において前記ダウンリンク参照信号を送信する第１送信電力、および前記端末が各々の前記ネットワーク側機器と前記端末の両方によりサポートされるアップリンク周波数範囲においてアップリンクデータを送信する時の、前記ネットワーク側機器に対応する最低受信電力を取得することと、
前記端末と前記ネットワーク側機器が各々の前記ネットワーク側機器と前記端末の両方によりサポートされるアップリンク周波数範囲においてのアップリンク経路損失値と、前記端末と前記ネットワーク側機器が前記目的ダウンリンク周波数範囲においてのダウンリンク経路損失値との間の損失差分値を取得することと、
そのうち、前記アップリンク経路損失値と前記ダウンリンク経路損失値は、前記端末が同じ地理的位置で得られた経路損失値であり、
前記第１受信電力、前記最低受信電力、前記損失差分値、及び前記電力レベルに基づいて、以下の公式で各々のネットワーク側機器と端末の両方によりサポートされるアップリンク周波数範囲に対応するアップリンクカバレッジ受信スレッショルド電力を得ることと、を含み、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は前記第１送信電力であり、ＰＬｄｅｌｔａは、前記端末と前記ネットワーク側機器が第i個のアップリンク周波数範囲においてのアップリンク経路損失値と、前記端末と前記ネットワーク側機器が前記目的ダウンリンク周波数範囲においてのダウンリンク経路損失値との間の損失差分値であり、ＰＲＸ_ｉは、前記ネットワーク側機器と前記端末の両方によりサポートされる第i個のアップリンク周波数範囲においてアップリンクデータを送信する時の、前記ネットワーク側機器に対応する最低受信電力であり、ＰＵＬ_ｉは、前記第i個のアップリンク周波数範囲の電力レベルに対応する最大送信電力である
ことを特徴とする請求項９〜１８のいずれか１項に記載の周波数選択方法。
【請求項２０】
ネットワーク側機器に適用され、
ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定するために用いられるバンドセット特定モジュールと、
端末が前記第１バンドセットによって前記ネットワーク側機器がサポートする第１動作バンドに含まれる前記少なくとも一つのアップリンク周波数範囲と少なくとも一つのダウンリンク周波数範囲を特定するように、前記第１バンドセットを同報通信するために用いられる同報通信モジュールと、を備える
ことを特徴とする周波数選択装置。
【請求項２１】
前記第１バンドセットは、前記ネットワーク側機器によってサポートされるアップリンク周波数範囲を指示する第１バンド識別子と、前記ネットワーク側機器によってサポートされるダウンリンク周波数範囲を指示する第２バンド識別子と、を含む
ことを特徴とする請求項２０に記載の周波数選択装置。
【請求項２２】
前記同報通信モジュールは、前記第１バンドセットにおいて目的ダウンリンク周波数範囲を特定し、且つ前記目的ダウンリンク周波数範囲において前記第１バンドセットを同報通信するために用いられる
ことを特徴とする請求項２０に記載の周波数選択装置。
【請求項２３】
前記目的ダウンリンク周波数範囲は、ネットワーク管理システムまたは前記ネットワーク側機器が第１バンドセットにおける各ダウンリンク周波数範囲でのキャリアのネットワークカバレッジの能力によって配置するものであり、及び／又は、
前記目的ダウンリンク周波数範囲は、前記ネットワーク管理システムまたは前記ネットワーク側機器が第１バンドセットにおける各ダウンリンク周波数範囲でのキャリアの負荷状態によって配置するものである
ことを特徴とする請求項２２に記載の周波数選択装置。
【請求項２４】
前記周波数選択装置は、
前記端末が前記ネットワーク側機器または前記端末によって特定された第１アップリンク周波数範囲または第１アップリンクキャリアにおいて送信したランダムアクセスリクエストメッセージを受信するために用いられるアクセスリクエスト受信モジュールを、さらに備える
ことを特徴とする請求項２０に記載の周波数選択装置。
【請求項２５】
前記周波数選択装置は、
前記ネットワーク側機器によってサポートされる少なくとも一つのアップリンク周波数範囲から第１アップリンク周波数範囲または前記第１アップリンクキャリアを特定するために用いられる第１特定モジュールと、
前記端末がアップリンクバンド指示メッセージによって前記第１アップリンク周波数範囲または前記第１アップリンクキャリアを特定するように、前記第１アップリンク周波数範囲を指示する、または、前記第１アップリンクキャリアの中心周波数および帯域幅を指示するためのアップリンクバンド指示メッセージを同報通信するためにも用いられる前記同報通信モジュールと、をさらに備える
ことを特徴とする請求項２４に記載の周波数選択装置。
【請求項２６】
前記周波数選択装置は、
端末が送信した端末バンド指示情報を取得するために用いられる取得モジュールと、
前記第１バンドセットと第２バンドセットによって前記ネットワーク側機器と前記端末の両方によりサッポートされるアップリンク周波数範囲を特定するために用いられる第２特定モジュールと、
前記ネットワーク側機器と前記端末の両方によりサポートされるアップリンク周波数範囲において第２アップリンク周波数範囲または第２アップリンクキャリアを特定するために用いられる第３特定モジュールと、をさらに備え、
そのうち、前記端末バンド指示情報は、前記端末によってサッポートされる少なくとも一つの第２動作バンドを含む第２バンドセットを含み、前記第２動作バンドは、少なくとも一つのアップリンク周波数範囲と少なくとも一つのダウンリンク周波数範囲を含む
ことを特徴とする請求項２５に記載の周波数選択装置。
【請求項２７】
前記取得モジュールは、前記端末が前記第１アップリンク周波数範囲または前記第１アップリンクキャリアにおいて送信した端末バンド指示情報を受信する、または、ネットワーク管理デバイスから前記端末バンド指示情報を取得するために用いられる
ことを特徴とする請求項２６に記載の周波数選択装置。
【請求項２８】
前記取得モジュールは、さらに、前記端末によってサッポートされるアップリンク周波数範囲に対応する電力レベルを受信するために用いられ、そのうち、前記電力レベルは、前記端末が自体にサッポートされるアップリンク周波数範囲での最大送信電力を表し、
前記第３特定モジュールは、前記端末が前記目的ダウンリンク周波数範囲においてダウンリンク参照信号またはダウンリンク同期信号を受信する第１受信電力を取得し、前記電力レベルによって、前記ネットワーク側機器と前記端末の両方によりサポートされるアップリンク周波数範囲に対応するアップリンクカバレッジ受信スレッショルド電力を取得し、且つ、前記第１受信電力と前記アップリンクカバレッジ受信スレッショルド電力によって、前記第２アップリンク周波数範囲または第２アップリンクキャリアを特定するために用いられ、そのうち、前記アップリンクカバレッジ受信スレッショルド電力は、前記ネットワーク側機器と前記端末の両方によりサポートされるアップリンク周波数範囲に対応するアップリンクカバレッジ範囲を表す
ことを特徴とする請求項２６に記載の周波数選択装置。
【請求項２９】
前記第３特定モジュールは、前記ランダムアクセスリクエストから前記第１受信電力を取得する、または、前記端末によって報告された前記第１受信電力を受信するために用いられる
ことを特徴とする請求項２８に記載の周波数選択装置。
【請求項３０】
前記第３特定モジュールは、前記第１受信電力が前記アップリンクカバレッジ受信スレッショルド電力のうちの第１アップリンクカバレッジ受信スレッショルド電力よりも大きい場合に、前記第１アップリンクカバレッジ受信電力閾値に対応するアップリンク周波数範囲が前記第２アップリンク周波数範囲または第２アップリンクギャリアであることを特定するために用いられる
ことを特徴とする請求項２８に記載の周波数選択装置。
【請求項３１】
前記第３特定モジュールは、前記第１アップリンクカバレッジ受信スレッショルド電力が複数個である場合に、スレッショルド電力が最高である第１アップリンクカバレッジ受信スレッショルド電力に対応するアップリンク周波数範囲が前記第２アップリンク周波数範囲であることを特定するために用いられる
ことを特徴とする請求項３０に記載の周波数選択装置。
【請求項３２】
前記周波数選択装置は、
前記第２アップリンク周波数範囲または第２アップリンクキャリアの受信品質によって、前記端末のために第３アップリンク周波数範囲または第３アップリンクキャリアを選択するか否かを決定するために用いられる判定モジュールと、
前記端末のために第３アップリンク周波数範囲または第３アップリンクキャリアを選択することを決定した場合に、前記ネットワーク側機器と前記端末の両方によりサポートされるアップリンク周波数範囲における前記第２アップリンク周波数範囲以外のその他のアップリンク周波数範囲である候補アップリンク周波数範囲を特定するために用いられる第４特定モジュールと、
前記アップリンクカバレッジ受信スレッショルド電力と前記第１受信電力によって、前記候補アップリンク周波数範囲において前記第３アップリンク周波数範囲または第３アップリンクキャリアを特定するために用いられる第５特定モジュールと、をさらに備える
ことを特徴とする請求項３０に記載の周波数選択装置。
【請求項３３】
前記判定モジュールは、前記端末が前記第２アップリンク周波数範囲または第２アップリンクキャリアにおいてデータを伝送するビット誤り率またはブロック誤り率が第１プリセット閾値の以上である場合に、
前記端末のために第３アップリンク周波数範囲または第３アップリンクキャリアを選択することを決定するために用いられる
ことを特徴とする請求項３２に記載の周波数選択装置。
【請求項３４】
前記判定モジュールは、前記端末が前記第２アップリンク周波数範囲または第２アップリンクキャリアにおいて送信したアップリンク参照信号の第２受信電力が第２プリセット閾値の以下である場合に、前記端末のために第３アップリンク周波数範囲または第３アップリンクキャリアを選択することを決定するために用いられる
ことを特徴とする請求項３２に記載の周波数選択装置。
【請求項３５】
前記判定モジュールは、前記第１受信電力が前記第２アップリンク周波数範囲または前記第２アップリンクキャリアが選択した対応するアップリンクカバレッジ受信スレッショルド電力よりも小さい場合に、前記端末のために第３アップリンク周波数範囲または第３アップリンクキャリアを選択することを決定するために用いられる
ことを特徴とする請求項３２に記載の周波数選択装置。
【請求項３６】
前記第５特定モジュールは、前記アップリンクカバレッジ受信スレッショルド電力において前記候補アップリンク周波数範囲に対応する候補アップリンクカバレッジ受信スレッショルド電力を特定し、前記第１受信電力が前記候補アップリンクカバレッジ受信スレッショルド電力における第２アップリンクカバレッジ受信スレッショルド電力の以上である場合に、前記第２候補アップリンクカバレッジ受信スレッショルド電力に対応する候補アップリンク周波数範囲が前記第３アップリンク周波数範囲または第３アップリンクキャリアであることを特定するために用いられる
ことを特徴とする請求項３２に記載の周波数選択装置。
【請求項３７】
前記第５特定モジュールは、前記第２アップリンクカバレッジ受信電力閾値が複数個である場合に、最高である第２アップリンクカバレッジ受信スレッショルド電力に対応するアップリンク周波数範囲が前記第３アップリンク周波数範囲または第３アップリンクキャリアであることを特定するために用いられる
ことを特徴とする請求項３６に記載の周波数選択装置。
【請求項３８】
前記第３特定モジュールは、以下のステップで前記ネットワーク側機器と前記端末の両方によりサポートされるアップリンク周波数範囲に対応するアップリンクカバレッジ受信スレッショルド電力を取得するために用いられ、
前記ネットワーク側機器が前記目的ダウンリンク周波数範囲において前記ダウンリンク参照信号を送信する第１送信電力、および前記端末が各々の前記ネットワーク側機器と前記端末の両方によりサポートされるアップリンク周波数範囲においてアップリンクデータを送信する時の、前記ネットワーク側機器に対応する最低受信電力を取得ステップ、
前記端末と前記ネットワーク側機器が各々の前記ネットワーク側機器と前記端末の両方によりサポートされるアップリンク周波数範囲においてのアップリンク経路損失値と、前記端末と前記ネットワーク側機器が前記目的ダウンリンク周波数範囲においてのダウンリンク経路損失値との間の損失差分値を取得するステップ、
そのうち、前記アップリンク経路損失値と前記ダウンリンク経路損失値は、前記端末が同じ地理的位置で得られた経路損失値であり、及び
前記第１受信電力、前記最低受信電力、前記損失差分値、及び前記電力レベルに基づいて、以下の公式で各々のネットワーク側機器と端末の両方によりサポートされるアップリンク周波数範囲に対応するアップリンクカバレッジ受信スレッショルド電力を得るステップであり、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は前記第１送信電力であり、ＰＬｄｅｌｔａは、前記端末と前記ネットワーク側機器が第i個のアップリンク周波数範囲においてのアップリンク経路損失値と、前記端末と前記ネットワーク側機器が前記目的ダウンリンク周波数範囲においてのダウンリンク経路損失値との間の損失差分値であり、ＰＲＸ_ｉは、前記ネットワーク側機器と前記端末の両方によりサポートされる第i個のアップリンク周波数範囲においてアップリンクデータを送信する時の、前記ネットワーク側機器に対応する最低受信電力であり、ＰＵＬ_ｉは、前記第i個のアップリンク周波数範囲の電力レベルに対応する最大送信電力である
ことを特徴とする請求項２８〜３７のいずれか１項に記載の周波数選択装置。
【請求項３９】
請求項１〜１９のいずれか１項に記載の周波数選択方法を実行するための一つまたは複数のプログラムを含む
ことを特徴とする非一過性コンピュータ可読記憶媒体。
【請求項４０】
請求項３９に記載の非一過性コンピュータ可読記憶媒体と、
前記非一過性コンピュータ可読記憶媒体におけるプログラムを実行するための一つまたは複数のプロセッサーと、を備える
ことを特徴とするネットワーク側機器。
【手続補正２】
【補正対象書類名】明細書
【補正対象項目名】０００７
【補正方法】変更
【補正の内容】
【０００７】
本発明の実施例の第３側面によれば、一種の周波数選択装置が提供される。当該周波数選択装置は、ネットワーク側機器に適用され、且つ、ネットワーク側機器によってサポートされ且つ少なくとも一つのアップリンク周波数範囲と少なくとも一つのダウンリンク周波数範囲を有する少なくとも一つの第１動作バンドを含む第１バンドセットを特定するために用いられるバンド特定モジュールと、端末が前記第１バンドセットによって前記ネットワーク側機器がサポートする第１動作バンドに含まれる前記少なくとも一つのアップリンク周波数範囲と少なくとも一つのダウンリンク周波数範囲を特定するように、第１バンドセットを同報通信するために用いられる同報通信モジュールと、を備える。
【手続補正３】
【補正対象書類名】明細書
【補正対象項目名】００３６
【補正方法】変更
【補正の内容】
【００３６】
Ｓ３０１：ネットワーク側機器は、第１バンドセットを特定した後に、目的ダウンリンク周波数範囲において第１バンドセットを同報通信する。
【手続補正４】
【補正対象書類名】明細書
【補正対象項目名】００４１
【補正方法】変更
【補正の内容】
【００４１】
上記の第１動作バンド１は、ネットワーク側機器が上記のアップリンク周波数範囲１またはアップリンク周波数範囲２においてアップリンクデータを伝送することと、ダウンリンク周波数範囲１においてダウンリンクデータを伝送することをサポートすることを表す。
【手続補正５】
【補正対象書類名】明細書
【補正対象項目名】００４２
【補正方法】変更
【補正の内容】
【００４２】
別の例として、例えば、当該第１バンドセットは複数の第１動作バンドを含み、当該第１バンドセットは以下のことを含むことができる。
【手続補正６】
【補正対象書類名】明細書
【補正対象項目名】００４４
【補正方法】変更
【補正の内容】
【００４４】
もう一種の構成形態は、各第１動作バンドが、当該ネットワーク側機器によってサポートされるアップリンク周波数範囲を示す第１バンド識別子と、当該ネットワーク側機器によってサポートされるダウンリンク周波数範囲を示す第２バンド識別子とを含むことである。
【手続補正７】
【補正対象書類名】明細書
【補正対象項目名】００４６
【補正方法】変更
【補正の内容】
【００４６】
例えば、当該第１バンドセットは、以下のことを含むことができる。
｛第１動作バンド１：
（アップリンクバンド１：バンド３、バンド８、バンド４２；
ダウンリンクバンド１：バンド８、バンド４２）
第１動作バンド２：
（アップリンクバンド１：バンド４、バンド７、バンド４３；
ダウンリンクバンド１：バンド７、バンド４３）
｝
【手続補正８】
【補正対象書類名】明細書
【補正対象項目名】００５７
【補正方法】変更
【補正の内容】
【００５７】
なお、上記の第１アップリンク周波数範囲または第１アップリンクキャリアは、通常に周波数が最低のバンドから得られ、カバレッジエリア内の端末がランダムアクセスリクエストを成功に送信できることを満たせれば良いである。
【手続補正９】
【補正対象書類名】明細書
【補正対象項目名】００６６
【補正方法】変更
【補正の内容】
【００６６】
以上から分かるように、第２動作バンド１におけるアップリンク周波数範囲１とダウンリンク周波数範囲１の組合せは、第１動作バンド１におけるアップリンク周波数範囲１とダウンリンク周波数範囲１の組合せと同じである（即ち、同じアップリンク周波数範囲および同じダウンリンク周波数範囲を有する）ので、端末は、ネットワーク側機器にアクセスできることを決定する。
【手続補正１０】
【補正対象書類名】明細書
【補正対象項目名】００６８
【補正方法】変更
【補正の内容】
【００６８】
また、上記の例に比べて、本例において、第１バンドセットにサポートされる第１動作バンド１には第１アップリンク周波数範囲３がさらに含まれ、即ち、本例における第１バンドセットと第２バンドセットは、全く同じというわけではない。これから分かるように、端末は、第１バンドセットと第２バンドセットとの間には同じアップリンク周波数範囲および同じダウンリンク周波数範囲を有する動作バンドがあったことを決定さえすれば、当該ネットワーク側機器にアクセスすることを決定することができ、第１バンドセットと第２バンドセットとの動作バンドを完全に同じくする必要はない。
【手続補正１１】
【補正対象書類名】明細書
【補正対象項目名】００７２
【補正方法】変更
【補正の内容】
【００７２】
なお、端末によってサポートされる第２動作バンド１におけるアップリンク周波数範囲２と、ネットワーク側機器によってサポートされる第１動作バンド１におけるアップリンク周波数範囲２との間には、重畳周波数である３３００〜３８００ＭＨｚが存在し、端末によってサポートされる第２動作バンド１におけるダウンリンク周波数範囲１と、ネットワーク側機器によってサポートされる第１動作バンド１におけるダウンリンク周波数範囲１との間には、重畳周波数である３３００〜３８００ＭＨｚが存在する。当然ながら、重畳されるアップリンク周波数範囲（即ち、第１アップリンク周波数範囲と第２アップリンク周波数範囲との間には、重畳周波数がある）と重畳されるダウンリンク周波数範囲（（即ち、第１ダウンリンク周波数範囲と第２ダウンリンク周波数範囲との間には、重畳周波数がある））を有するその他の動作バンドが存在する可能性もあり、ここで一々列挙しない。本実施例において、端末は、第１バンドセットと第２バンドセットには、重畳されるアップリンク周波数範囲と重畳されるダウンリンク周波数範囲を有する一つの動作バンドがあったことを決定さえすれば、当該ネットワーク側機器にアクセスすることを決定できる。
【手続補正１２】
【補正対象書類名】明細書
【補正対象項目名】００７５
【補正方法】変更
【補正の内容】
【００７５】
ここで、端末が当該ネットワーク側機器にアクセスした後、端末によって特定された第１アップリンク周波数範囲または第１アップリンクキャリアが通常に周波数が最低のバンドから得られ、カバレッジエリア内の端末がランダムアクセスリクエストを成功に送信できることを満たすものであるが、周波数が低いバンドは帯域幅が非常に限られていることが多いので、端末が当該ネットワーク側機器にアクセスした後に、第１アップリンク周波数範囲または第１アップリンクキャリアにおける渋滞を避けるために、ステップＳ３０６〜ステップＳ３０８を経て第２アップリンク周波数範囲または第２アップリンクキャリアを特定することができる。
【手続補正１３】
【補正対象書類名】明細書
【補正対象項目名】００８７
【補正方法】変更
【補正の内容】
【００８７】
Ｓ２１：ネットワーク側機器は、当該ネットワーク側機器が当該目的ダウンリンク周波数範囲において当該ダウンリンク参照信号を送信する第１送信電力、および当該端末が各々の当該ネットワーク側機器と当該端末の両方によりサポートされるアップリンク周波数範囲においてアップリンクデータを送信する時の、当該ネットワーク側機器に対応する最低受信電力を取得する。
【手続補正１４】
【補正対象書類名】明細書
【補正対象項目名】００８９
【補正方法】変更
【補正の内容】
【００８９】
そのうち、当該アップリンク経路損失値と当該ダウンリンク経路損失値は、当該端末が同じ地理的位置で得られた経路損失値であり、当該アップリンク経路損失値と当該ダウンリンク経路損失値は、スペクトラムアナライザで測定することで得られ、または、該アップリンク経路損失値と当該ダウンリンク経路損失値は、典型的な伝搬モデルと第i個の第２ダウンリンクバンド及び第１ダウンリンクバンドの周波数によって算出することができる。例えば、密集市街地において、当該典型的な伝搬モデルはＨａｔａ伝搬モデルであってもよく、当該モデルによって経路損失値を算出する具体的な過程は、従来技術と同じであるので、ここでこれ以上贅言しない。
【手続補正１５】
【補正対象書類名】明細書
【補正対象項目名】００９２
【補正方法】変更
【補正の内容】
【００９２】
そのうち、ＲＳＲＰｔｈｒｅｓは、第i個のアップリンク周波数範囲に対応するアップリンクカバレッジ受信スレッショルド電力であり、Ｐｔｘ_１は当該第１送信電力であり、ＰＬｄｅｌｔａは、当該端末と当該ネットワーク側機器が第i個のアップリンク周波数範囲においてのアップリンク経路損失値と、当該端末と当該ネットワーク側機器が当該目的ダウンリンク周波数範囲においてのダウンリンク経路損失値との間の損失差分値であり、ＰＲＸ_ｉは、当該ネットワーク側機器と当該端末の両方によりサポートされる第i個のアップリンク周波数範囲においてアップリンクデータを送信する時の、当該ネットワーク側機器に対応する最低受信電力であり、ＰＵＬ_ｉは、当該第i個のアップリンク周波数範囲の電力レベルに対応する最大送信電力である。
【手続補正１６】
【補正対象書類名】明細書
【補正対象項目名】０１０１
【補正方法】変更
【補正の内容】
【０１０１】
条件２：当該端末が当該第２アップリンク周波数範囲または第２アップリンクキャリアにおいて伝送するアップリンク参照信号の第２受信電力は、第２プリセット閾値よりも小さい。
そのうち、当該第２プリセット閾値は、ネットワーク側機器が第３アップリンク周波数範囲のカバレッジエッジの電力値に基づいて設定することができる。
【手続補正１７】
【補正対象書類名】明細書
【補正対象項目名】０１０５
【補正方法】変更
【補正の内容】
【０１０５】
そのうち、当該候補アップリンク周波数範囲は、当該ネットワーク側機器と当該端末の両方によりサポートされるアップリンク周波数範囲における当該第２アップリンク周波数範囲以外のその他のアップリンク周波数範囲である。
【手続補正１８】
【補正対象書類名】明細書
【補正対象項目名】０１０７
【補正方法】変更
【補正の内容】
【０１０７】
このステップにおいて、第１受信電力によって、候補アップリンク周波数範囲において当該第３アップリンク周波数範囲または第３アップリンクキャリアを特定することができ、その具体的な実現方式は、上記のステップＳ３０８において第２アップリンク周波数範囲または第２アップリンクキャリアを特定する方式と同じであるので、ここでこれ以上贅言しない。
【手続補正１９】
【補正対象書類名】明細書
【補正対象項目名】０１３１
【補正方法】変更
【補正の内容】
【０１３１】
好ましくは、当該第３特定モジュール４０７は、以下のステップで当該ネットワーク側機器と当該端末の両方によりサポートされるアップリンク周波数範囲に対応するアップリンクカバレッジ受信スレッショルド電力を取得するために用いられ、
当該ネットワーク側機器が当該目的ダウンリンク周波数範囲において当該ダウンリンク参照信号を送信する第１送信電力、および当該端末が各々の当該ネットワーク側機器と当該端末の両方によりサポートされるアップリンク周波数範囲においてアップリンクデータを送信する時の、当該ネットワーク側機器に対応する最低受信電力を取得するステップ、
当該端末と当該ネットワーク側機器が各々の当該ネットワーク側機器と当該端末の両方によりサポートされるアップリンク周波数範囲においてのアップリンク経路損失値と、当該端末と当該ネットワーク側機器が当該目的ダウンリンク周波数範囲においてのダウンリンク経路損失値との間の損失差分値を取得するステップ、そのうち、当該アップリンク経路損失値と当該ダウンリンク経路損失値は、当該端末が同じ地理的位置で得られた経路損失値であり、及び
当該第１受信電力、当該最低受信電力、当該損失差分値、及び当該電力レベルに基づいて、以下の公式で各々のネットワーク側機器と端末の両方によりサポートされるアップリンク周波数範囲に対応するアップリンクカバレッジ受信スレッショルド電力を得るステップであり、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は当該第１送信電力であり、ＰＬｄｅｌｔａは、当該端末と当該ネットワーク側機器が第i個のアップリンク周波数範囲においてのアップリンク経路損失値と、当該端末と当該ネットワーク側機器が当該目的ダウンリンク周波数範囲においてのダウンリンク経路損失値との間の損失差分値であり、ＰＲＸ_ｉは、当該ネットワーク側機器と当該端末の両方によりサポートされる第i個のアップリンク周波数範囲においてアップリンクデータを送信する時の、当該ネットワーク側機器に対応する最低受信電力であり、ＰＵＬ_ｉは、当該第i個のアップリンク周波数範囲の電力レベルに対応する最大送信電力である。
【手続補正２０】
【補正対象書類名】明細書
【補正対象項目名】０１６６
【補正方法】変更
【補正の内容】
【０１６６】
好ましくは、前記の前記電力レベルによって前記ネットワーク側機器と前記端末の両方によりサポートされるアップリンク周波数範囲に対応するアップリンクカバレッジ受信スレッショルド電力を取得することは、
前記ネットワーク側機器が前記目的ダウンリンク周波数範囲において前記ダウンリンク参照信号を送信する第１送信電力、および前記端末が各々の前記ネットワーク側機器と前記端末の両方によりサポートされるアップリンク周波数範囲においてアップリンクデータを送信する時の、前記ネットワーク側機器に対応する最低受信電力を取得することと、
前記端末と前記ネットワーク側機器が各々の前記ネットワーク側機器と前記端末の両方によりサポートされるアップリンク周波数範囲においてのアップリンク経路損失値と、前記端末と前記ネットワーク側機器が前記目的ダウンリンク周波数範囲においてのダウンリンク経路損失値との間の損失差分値を取得することと、そのうち、前記アップリンク経路損失値と前記ダウンリンク経路損失値は、前記端末が同じ地理的位置で得られた経路損失値であり、及び
前記第１受信電力、前記最低受信電力、前記損失差分値、及び前記電力レベルに基づいて、以下の公式で各々のネットワーク側機器と端末の両方によりサポートされるアップリンク周波数範囲に対応するアップリンクカバレッジ受信スレッショルド電力を得ることと、を含み、
ＲＳＲＰｔｈｒｅｓ＝Ｐｔｘ_１＋ＰＬｄｅｌｔａ＋ＰＲＸ_ｉ-ＰＵＬ_ｉ
そのうち、ＲＳＲＰｔｈｒｅｓは、第i個のアップリンク周波数範囲に対応するアップリンクカバレッジ受信スレッショルド電力であり、Ｐｔｘ_１は前記第１送信電力であり、ＰＬｄｅｌｔａは、前記端末と前記ネットワーク側機器が第i個のアップリンク周波数範囲においてのアップリンク経路損失値と、前記端末と前記ネットワーク側機器が前記目的ダウンリンク周波数範囲においてのダウンリンク経路損失値との間の損失差分値であり、ＰＲＸ_ｉは、前記ネットワーク側機器と前記端末の両方によりサポートされる第i個のアップリンク周波数範囲においてアップリンクデータを送信する時の、前記ネットワーク側機器に対応する最低受信電力であり、ＰＵＬ_ｉは、前記第i個のアップリンク周波数範囲の電力レベルに対応する最大送信電力である。
【手続補正２１】
【補正対象書類名】図面
【補正対象項目名】図３
【補正方法】変更
【補正の内容】
【図３】
2020517143.tif 000016
【手続補正２２】
【補正対象書類名】図面
【補正対象項目名】図１０
【補正方法】変更
【補正の内容】
【図１０】
2020517143.tif 000017
【手続補正２３】
【補正対象書類名】図面
【補正対象項目名】図１１
【補正方法】変更
【補正の内容】
【図１１】
2020517143.tif 000018
【手続補正２４】
【補正対象書類名】図面
【補正対象項目名】図１２
【補正方法】変更
【補正の内容】
【図１２】
2020517143.tif 000019
【国際調査報告】
2020517143.tif 000020
2020517143.tif 000021
2020517143.tif 000022
2020517143.tif 000023